(57)【要約】      （修正有）【課題】静止画撮影時および動画撮影時に良好な撮影を行える撮像装置を提供する。【解決手段】デジタルカメラ１は、光学系Ｏと、ズームリング９１と、伝達機構Ｔと、検知センサ１１１と、撮像センサ１０と、撮影モード選択部５０ｃと、撮像ユニット５と、を備えている。ズームリング９１は光学系Ｏの焦点距離を調整するために操作される。伝達機構Ｔは、第１操作モードと、第２操作モードとをとり得る。検知センサ１１１は伝達機構Ｔがいずれの操作モードであるかを検知する。撮影モード選択部５０ｃは、静止画撮影モードおよび動画撮影モードのうち一方を選択可能に設けられている。撮影モード選択部５０ｃは、第１操作モードである場合は静止画撮影モードを選択し、第２操作モードである場合は動画撮影モードを選択する。撮像ユニット５は、選択された撮影モードに基づいて、静止画データまたは動画データを電気信号から生成する。【選択図】図４
2011004209.tif 000002
【特許請求の範囲】
【請求項１】
被写体の光学像を形成する光学系と、
前記光学系の焦点距離を調整するために操作される操作部材と、
前記操作部材に入力される操作力を機械的に前記光学系に伝達する機構であって、第１の状態と、前記第１の状態よりも前記操作部材の必要操作力が小さくなる第２の状態と、をとり得る伝達機構と、
前記伝達機構が前記第１の状態および前記第２の状態のうちいずれの状態であるかを検知する状態検知部と、
前記光学像を電気信号に変換する撮像素子と、
前記電気信号に基づき静止画データを生成する静止画撮影モードおよび前記電気信号に基づき動画データを生成する動画撮影モードのうち一方を、前記状態検知部の検知結果に基づいて選択可能に設けられ、前記伝達機構が前記第１の状態である場合は前記静止画撮影モードを選択し、前記伝達機構が前記第２の状態である場合は前記動画撮影モードを選択する撮影モード選択部と、
前記撮影モード選択部により選択された撮影モードに基づいて、前記静止画データまたは前記動画データを前記電気信号から生成する画像データ生成部と、
を備えた撮像装置。
【請求項２】
前記伝達機構の状態を前記第１の状態および前記第２の状態のうち一方に切り換えるために操作される状態操作部をさらに備えた、
請求項１に記載の撮像装置。
【請求項３】
前記状態操作部は、前記伝達機構に機械的に連結されている、
請求項２に記載の撮像装置。
【請求項４】
前記撮影モード選択部により撮影モードが選択される際に前記状態検知部の検知結果と連動させるか否かを選択するために操作される連動操作部をさらに備えた、
請求項１から３のいずれかに記載の撮像装置。
【請求項５】
前記静止画撮影モードおよび前記動画撮影モードのうち一方を選択するために操作される撮影モード操作部と、
前記撮影モード操作部を用いて選択された撮影モードを検知する撮影モード検知部と、をさらに備え、
前記撮影モード選択部は、前記連動操作部で連動が選択されている場合、前記状態検知部に検知結果に基づいて前記静止画撮影モードおよび前記動画撮影モードのうち一方を選択し、前記連動操作部で非連動が選択されている場合、前記撮影モード検知部の検知結果に基づいて前記静止画撮影モードおよび前記動画撮影モードのうち一方を選択する、
請求項４に記載の撮像装置。
【請求項６】
前記状態検知部の検知結果と前記撮影モード検知部の検知結果との組み合わせが所定の条件を満たしているか否かを判定する判定部をさらに備えた、
請求項５に記載の撮像装置。
【請求項７】
前記判定部の判定結果に基づいて前記判定部の判定結果を出力可能に設けられ、前記状態検知部の検知結果と前記撮影モード検知部の検知結果との組み合わせが前記所定の条件を満たしていない場合に、前記状態検知部の検知結果、前記撮影モード検知部の検知結果および前記判定結果のうち少なくとも１つを視覚的または聴覚的に認識可能に出力する報知部をさらに備えた、
請求項６に記載の撮像装置。
【請求項８】
前記伝達機構は、前記第１の状態で作動する機構であって前記操作部材の操作量を第１減速比で前記光学系に伝達する第１減速機構と、前記第２の状態で作動する機構であって前記操作部材の操作量を前記第１減速比よりも大きい第２減速比で前記光学系に伝達する第２減速機構と、を有している、
請求項１から７のいずれかに記載の撮像装置。
【請求項９】
前記第１減速機構は、前記第１の状態で作動する第１ギヤを有しており、
前記第２減速機構は、前記第２の状態で作動する第２ギヤを有しており、
前記第１減速機構および前記第２減速機構は、前記第１の状態では前記操作部材と前記第１ギヤとを連動可能に連結し、かつ、前記第２の状態では前記操作部材と前記第２ギヤとを連動可能に連結する切り換え部材を共有している、
請求項８に記載の撮像装置。
【請求項１０】
被写体の光学像を形成する光学系と、
前記光学系の焦点距離を調整するために操作される操作部材と、
前記操作部材に入力される操作力を機械的に前記光学系に伝達する機構であって、第１の状態と、前記第１の状態よりも前記操作部材の必要操作力が小さくなる第２の状態と、をとり得る伝達機構と、
前記光学像を電気信号に変換する撮像素子と、
前記電気信号から静止画データを生成する静止画撮影モードおよび前記電気信号から動画データを生成する動画撮影モードのうち一方を選択するために操作される撮影モード操作部と、
前記撮影モード操作部を用いて選択された撮影モードを検知する撮影モード検知部と、
前記撮影モード検知部の検知結果に基づいて前記伝達機構の状態を切り換え可能であり、前記撮影モード操作部で前記静止画撮影モードが選択されている場合は前記伝達機構の状態を前記第１の状態に切り換え、前記撮影モード操作部で前記動画撮影モードが選択されている場合は前記伝達機構の状態を前記第２の状態に切り換える状態切換部と、
前記撮影モード検知部の検知結果に基づいて、前記静止画データまたは前記動画データを前記電気信号から生成する画像データ生成部と、
を備えた撮像装置。
【請求項１１】
前記伝達機構の状態が前記第１の状態および前記第２の状態のいずれであるかを検知する状態検知部をさらに備えた、
請求項１０に記載の撮像装置。
【請求項１２】
前記撮影モード検知部の検知結果に前記伝達機構の状態を連動させるか否かを選択するために操作される連動操作部をさらに備え、
前記状態切換部は、前記連動操作部により連動が選択されている場合のみ、前記撮影モード検知部の検知結果に基づいて前記伝達機構の状態を切り換える、
請求項１１に記載の撮像装置。
【請求項１３】
前記状態検知部の検知結果と前記撮影モード検知部の検知結果との組み合わせが所定の条件を満たしているか否かを判定する判定部さらに備えた、
請求項１２に記載の撮像装置。
【請求項１４】
前記判定部の判定結果に基づいて前記判定部の判定結果を出力可能に設けられ、前記状態検知部の検知結果と前記撮影モード検知部の検知結果との組み合わせが前記所定の条件を満たしていない場合に、前記状態検知部の検知結果、前記撮影モード検知部の検知結果および前記判定結果のうち少なくとも１つを出力する視覚的または聴覚的に認識可能に報知部をさらに備えた、
請求項１３に記載の撮像装置。
【請求項１５】
前記伝達機構は、前記第１の状態で作動する機構であって前記操作部材の操作量を第１減速比で前記光学系に伝達する第１減速機構と、前記第２の状態で作動する機構であって前記操作部材の操作量を前記第１減速比よりも大きい第２減速比で前記光学系に伝達する第２減速機構と、を有している、
請求項１０から１４のいずれかに記載の撮像装置。
【請求項１６】
前記第１減速機構は、前記第１の状態で作動する第１ギヤを有しており、
前記第２減速機構は、前記第２の状態で作動する第２ギヤを有しており、
前記第１減速機構および前記第２減速機構は、前記状態切換部により駆動される部材であって、前記第１の状態では前記操作部材と前記第１ギヤとを連動可能に連結し、かつ、前記第２の状態では前記操作部材と前記第２ギヤとを連動可能に連結する切り換え部材を共有している、
請求項１５に記載の撮像装置。
【請求項１７】
前記動画撮影モードで前記動画データの生成を開始するために操作される撮影開始操作部をさらに備え、
前記状態切換部は、前記伝達機構の状態を前記第１の状態から前記第２の状態に切り換える場合、前記撮影開始操作部が操作されるのを待って前記伝達機構の状態を前記第２の状態に切り換える、
請求項１０から１６のいずれかに記載の撮像装置。
【請求項１８】
被写体の光学像を形成する光学系と、
前記光学系の焦点距離を調整するために操作される操作部材と、
前記操作部材に入力される操作力を機械的に前記光学系に伝達する機構であって、第１の状態と、前記第１の状態よりも前記操作部材の必要操作力が小さくなる第２の状態と、をとり得る伝達機構と、
前記伝達機構の状態が前記第１の状態および前記第２の状態のいずれであるかを検知する状態検知部と、
前記光学像を電気信号に変換する撮像素子と、
前記電気信号から静止画データを生成する静止画撮影モードおよび前記電気信号から動画データを生成する動画撮影モードのうち一方を選択するために操作される撮影モード操作部と、
前記撮影モード操作部を用いて選択された撮影モードを検知する撮影モード検知部と、
前記状態検知部の検知結果と前記撮影モード検知部の検知結果との組み合わせが所定の条件を満たしているか否かを判定する判定部と、
前記判定部の判定結果に基づいて、前記状態検知部の検知結果、前記撮影モード検知部の検知結果および前記判定部の判定結果のうち少なくとも１つを視覚的または聴覚的に認識可能に出力する報知部と、
をさらに備えた撮像装置。
【請求項１９】
前記伝達機構が前記第１の状態であり、かつ、前記撮影モード操作部を用いて前記動画撮影モードが選択されている場合、前記報知部は、前記状態検知部の検知結果、前記撮影モード検知部の検知結果および前記判定部の判定結果のうち少なくとも１つを出力し、
前記伝達機構が前記第２の状態であり、かつ、前記撮影モード操作部を用いて前記静止画撮影モードが選択されている場合、前記報知部は、前記状態検知部の検知結果、前記撮影モード検知部の検知結果および前記判定部の判定結果のうち少なくとも１つを出力する、
請求項１８に記載の撮像装置。
【請求項２０】
光学系の焦点距離を調整する際の必要操作力を第１操作力および第１操作力よりも小さい第２操作力に切り換え可能なレンズ鏡筒とともに用いられるカメラ本体であって、
前記光学系により形成される被写体の光学像を電気信号に変換する撮像素子と、
前記電気信号に基づき静止画データを生成する静止画撮影モードおよび前記電気信号に基づき動画データを生成する動画撮影モードのうち一方を、前記必要操作力に応じて選択可能であり、前記必要操作力が前記第１操作力である場合は前記静止画撮影モードを選択し、前記必要操作力が前記第２操作力である場合は前記動画撮影モードを選択する撮影モード選択部と、
前記撮影モード選択部により選択された撮影モードに基づいて、前記静止画データまたは前記動画データを前記電気信号から生成する画像データ生成部と、
を備えたカメラ本体。
【請求項２１】
光学系の焦点距離を調整する際の必要操作力を第１操作力および第１操作力よりも小さい第２操作力に切り換え可能なレンズ鏡筒とともに用いられるカメラ本体であって、
前記光学系により形成される被写体の光学像を電気信号に変換する撮像素子と、
前記電気信号から静止画データを生成する静止画撮影モードおよび前記電気信号から動画データを生成する動画撮影モードのうち一方を選択するために操作される撮影モード操作部と、
前記撮影モード操作部を用いて選択された撮影モードを検知する撮影モード検知部と、
前記撮影モード検知部の検知結果に基づいて制御信号を生成可能であり、前記撮影モード操作部で前記静止画撮影モードが選択されている場合は前記必要操作力を前記第１操作力に設定する第１制御信号を生成し、前記撮影モード操作部で前記動画撮影モードが選択されている場合は前記必要操作力を前記第２操作力に設定する制御信号を生成する状態切換部と、
前記撮影モード検知部の検知結果に基づいて、前記静止画データまたは前記動画データを前記電気信号から生成する画像データ生成部と、
を備えたカメラ本体。
【請求項２２】
光学系の焦点距離を調整する際の必要操作力を第１操作力および第１操作力よりも小さい第２操作力に切り換え可能なレンズ鏡筒とともに用いられるカメラ本体であって、
前記光学系により形成される被写体の光学像を電気信号に変換する撮像素子と、
前記電気信号から静止画データを生成する静止画撮影モードおよび前記電気信号から動画データを生成する動画撮影モードのうち一方を選択するために操作される撮影モード操作部と、
前記撮影モード操作部を用いて選択された撮影モードを検知する撮影モード検知部と、
前記必要操作力と前記撮影モード検知部の検知結果との組み合わせが所定の条件を満たしているか否かを判定する判定部と、
前記判定部の判定結果に基づいて、前記撮影モード検知部の検知結果および前記判定部の判定結果のうち少なくとも１つを視覚的または聴覚的に認識可能に出力する報知部と、
をさらに備えたカメラ本体。
【発明の詳細な説明】
【技術分野】
【０００１】
本発明は、静止画および動画を撮影可能な撮像装置に関する。
【背景技術】
【０００２】
近年、ＣＣＤ（Charge Coupled Device）イメージセンサやＣＭＯＳ（Complementary Metal-oxide Semiconductor）イメージセンサなどの撮像素子を用いた撮像装置が普及している。この種の撮像装置では、撮像素子により被写体像が電気信号に変換され、この電気信号がデジタル化されて記録媒体に記録される。
撮像装置としては、交換レンズ式のデジタルカメラやデジタルレンジファインダカメラ、あるいはデジタルビデオカメラなどが挙げられる。最近では、静止画撮影だけでなく動画撮影も可能なデジタルカメラも提案されており、交換レンズ式のデジタルカメラでも動画撮影を考慮した設計をする必要が生じている。
【先行技術文献】
【特許文献】
【０００３】
【特許文献１】特開2001-147362号
【発明の概要】
【発明が解決しようとする課題】
【０００４】
一般的に、交換レンズ式のデジタルカメラでは、焦点距離を調整する際の操作感を考慮して、ズームリングの必要操作力（ズーム操作トルク）は比較的大きく設定されている。
しかし、静止画撮影時にはズーム操作トルクが大きい方が適度な操作感が得られるが、動画撮影時にズーム操作トルクが大きいと撮影中に撮像装置が振れてしまうおそれがある。このように、焦点距離を調整する際のズーム操作トルクが大きい場合、良好な動画撮影が妨げられてしまう。
特許文献１に記載のように、ズーム操作トルクを調整できる撮像装置はすでに提案されているが、単にズーム操作トルクを調整できたとしても、ズーム操作トルクに合った撮影モード（あるいは、撮影モードに合ったズーム操作トルク）が選択されているとは限らない。これは、交換レンズ式のデジタルカメラだけでなく、ズームリングで焦点距離を調整できる一体型のデジタルスチルカメラやデジタルビデオカメラでも同様に問題となる。
【０００５】
本発明の課題は、静止画撮影時および動画撮影時に良好な撮影を行える撮像装置およびカメラ本体を提供することにある。
【課題を解決するための手段】
【０００６】
第１の特徴に係る撮像装置は、光学系と、操作部材と、伝達機構と、状態検知部と、撮像素子と、撮影モード選択部と、画像データ生成部と、を備えている。光学系は被写体の光学像を形成する。操作部材は光学系の焦点距離を調整するために操作される。伝達機構は、操作部材に入力される操作力を機械的に光学系に伝達する機構であって、第１の状態と、第１の状態よりも操作部材の必要操作力が小さくなる第２の状態と、をとり得る。状態検知部は伝達機構が第１の状態および第２の状態のうちいずれの状態であるかを検知する。撮像素子は光学像を電気信号に変換する。撮影モード選択部は、電気信号に基づき静止画データを生成する静止画撮影モードおよび電気信号に基づき動画データを生成する動画撮影モードのうち一方を、状態検知部の検知結果に基づいて選択可能に設けられている。撮影モード選択部は、伝達機構が第１の状態である場合は静止画撮影モードを選択し、伝達機構が第２の状態である場合は動画撮影モードを選択する。画像データ生成部は、撮影モード選択部により選択された撮影モードに基づいて、静止画データまたは動画データを電気信号から生成する。
【０００７】
この撮像装置では、伝達機構の状態が第１の状態である場合は、撮影モード選択部により静止画撮影モードが選択される。伝達機構の状態が、第１の状態よりも必要操作力が小さい第２の状態である場合は、撮影モード選択部により動画撮影モードが選択される。このように、状態検知部の検知結果に基づいて静止画撮影モードおよび動画撮影モードのうち一方が撮影モード選択部により選択可能であるため、動画撮影時には比較的小さい操作力で光学系の焦点距離を調整することができ、動画撮影時に操作部材の操作により生じる撮像装置の振れを抑えることができる。これにより、静止画撮影時および動画撮影時に良好な撮影を行うことができる。
第２の特徴に係る撮像装置は、光学系と、操作部材と、伝達機構と、撮像素子と、撮影モード操作部と、状態切換部と、画像データ生成部と、を備えている。光学系は被写体の光学像を形成する。操作部材は光学系の焦点距離を調整するために操作される。伝達機構は、操作部材に入力される操作力を機械的に光学系に伝達する機構であって、第１の状態と、第１の状態よりも操作部材の必要操作力が小さくなる第２の状態と、をとり得る。撮像素子は光学像を電気信号に変換する。撮影モード操作部は、電気信号から静止画データを生成する静止画撮影モードおよび電気信号から動画データを生成する動画撮影モードのうち一方を選択するために操作される。撮影モード検知部は撮影モード操作部を用いて選択された撮影モードを検知する。状態切換部は、撮影モード検知部の検知結果に基づいて伝達機構の状態を切り換え可能である。状態切換部は、撮影モード操作部で静止画撮影モードが選択されている場合は伝達機構の状態を第１の状態に切り換え、撮影モード操作部で動画撮影モードが選択されている場合は伝達機構の状態を第２の状態に切り換える。画像データ生成部は、撮影モード検知部の検知結果に基づいて、静止画データまたは動画データを電気信号から生成する。
【０００８】
この撮像装置では、撮影モード操作部で静止画撮影モードが選択されている場合は、状態切換部により伝達機構の状態が第１の状態に切り換えられる。撮影モード操作部で動画撮影モードが選択されている場合は、状態切換部により伝達機構の状態が第２の状態に切り換えられる。このように、撮影モード検知部の検知結果に基づいて第１の状態および第２の状態のうち一方を状態選択部が選択可能であるため、動画撮影時には比較的小さい操作力で光学系の焦点距離を調整することができ、動画撮影時に操作部材の操作により生じる撮像装置の動きを抑えることができる。これにより、静止画撮影時および動画撮影時に良好な撮影を行うことができる。
第３の特徴に係る撮像装置は、光学系と、操作部材と、伝達機構と、状態検知部と、撮像素子と、撮影モード操作部と、撮影モード検知部と、判定部と、報知部と、を備えている。光学系は被写体の光学像を形成する。操作部材は光学系の焦点距離を調整するために操作される。伝達機構は、操作部材に入力される操作力を機械的に光学系に伝達する機構であって、第１の状態と、第１の状態よりも操作部材の必要操作力が小さくなる第２の状態と、をとり得る。状態検知部は伝達機構の状態が第１の状態および第２の状態のいずれであるかを検知する。撮像素子は光学像を電気信号に変換する。撮影モード操作部は、静止画撮影モードおよび動画撮影モードのうち一方を選択するために操作される。静止画撮影モードでは電気信号から静止画データが生成され、動画撮影モードでは電気信号から動画データが生成される。撮影モード検知部は撮影モード操作部を用いて選択された撮影モードを検知する。判定部は状態検知部の検知結果と撮影モード検知部の検知結果との組み合わせが所定の条件を満たしているか否かを判定する。報知部は、判定部の判定結果に基づいて、状態検知部の検知結果、撮影モード検知部の検知結果および判定部の判定結果のうち少なくとも１つを出力する。
【０００９】
この撮像装置では、状態検知部の検知結果と撮影モード検知部の検知結果との組み合わせが所定の条件を満たしているか否かが判定部により判定される。さらに、判定部の判定結果に基づいて、状態検知部の検知結果、撮影モード検知部の検知結果および判定部の判定結果のうち少なくとも１つが視覚的または聴覚的に認識可能に出力される。これにより、選択されている撮影モード、あるいは、伝達機構の状態と撮影モードとの関係をユーザーが容易に認識することができ、静止撮影時および動画撮影時に良好な撮影を行うことができる。
第４の特徴に係るカメラ本体は、光学系の焦点距離を調整する際の必要操作力を第１操作力および第１操作力よりも小さい第２操作力に切り換え可能なレンズ鏡筒とともに用いられる。このカメラ本体は、撮像素子と、撮影モード選択部と、画像データ生成部と、を備えている。撮像素子は光学系により形成される被写体の光学像を電気信号に変換する。撮影モード選択部は静止画撮影モードおよび動画撮影モードのうち一方を必要操作力に応じて選択可能である。撮影モード選択部は、必要操作力が第１操作力である場合は静止画撮影モードを選択し、必要操作力が第２操作力である場合は動画撮影モードを選択する。静止画撮影モードでは電気信号に基づき静止画データが生成される。動画撮影モードでは電気信号に基づき動画データが生成される。画像データ生成部は、撮影モード選択部により選択された撮影モードに基づいて、静止画データまたは動画データを電気信号から生成する。
【００１０】
このカメラ本体では、必要操作力が第１操作力である場合は撮影モード選択部により静止画撮影モードが選択され、必要操作力が第２操作力である場合は撮影モード選択部により動画撮影モードが選択される。このように、必要操作力に応じて静止画撮影モードおよび動画撮影モードのうち一方が撮影モード選択部により選択可能であるため、動画撮影時には比較的小さい操作力で光学系の焦点距離を調整することができ、動画撮影時に操作部材の操作により生じる撮像装置の動きを抑えることができる。これにより、静止画撮影時および動画撮影時に良好な撮影を行うことができる。
第５の特徴に係るカメラ本体は、光学系の焦点距離を調整する際の必要操作力を第１操作力および第１操作力よりも小さい第２操作力に切り換え可能なレンズ鏡筒とともに用いられる。このカメラ本体は、撮像素子と、撮影モード操作部と、撮影モード検知部と、状態切換部と、画像データ生成部と、を備えている。撮像素子は光学系により形成される被写体の光学像を電気信号に変換する。撮影モード操作部は、電気信号から静止画データを生成する静止画撮影モードおよび電気信号から動画データを生成する動画撮影モードのうち一方を選択するために操作される。撮影モード検知部は、撮影モード操作部を用いて選択された撮影モードを検知する。状態切換部は撮影モード検知部の検知結果に基づいて制御信号を生成可能である。状態切換部は、撮影モード操作部で静止画撮影モードが選択されている場合は必要操作力を第１操作力に設定する第１制御信号を生成し、撮影モード操作部で動画撮影モードが選択されている場合は必要操作力を第２操作力に設定する制御信号を生成する。画像データ生成部は、撮影モード検知部の検知結果に基づいて、静止画データまたは動画データを電気信号から生成する。
【００１１】
このカメラ本体では、撮影モード操作部で静止画撮影モードが選択されている場合は、必要操作力を第１操作力に設定する第１制御信号が状態切換部により生成され、撮影モード操作部で動画撮影モードが選択されている場合は、必要操作力を第２操作力に設定する制御信号が状態切換部により生成される。このように、選択された撮影モードに応じて必要操作力を切り換えるための制御信号が状態切換部により生成されるため、動画撮影時には比較的小さい操作力で光学系の焦点距離を調整することができ、動画撮影時に操作部材の操作により生じる撮像装置の動きを抑えることができる。これにより、静止画撮影時および動画撮影時に良好な撮影を行うことができる。
第６の特徴に係るカメラ本体は、光学系の焦点距離を調整する際の必要操作力を第１操作力および第１操作力よりも小さい第２操作力に切り換え可能なレンズ鏡筒とともに用いられる。このカメラ本体は、撮影素子と、撮影モード操作部と、撮影モード検知部と、判定部と、報知部と、を備えている。撮像素子は光学系により形成される被写体の光学像を電気信号に変換する。撮影モード操作部は、静止画撮影モードおよび動画撮影モードのうち一方を選択するために操作される。静止画撮影モードでは電気信号から静止画データが生成される。動画撮影モードでは電気信号から動画データが生成される。撮影モード検知部は撮影モード操作部を用いて選択された撮影モードを検知する。判定部は、必要操作力と撮影モード検知部の検知結果との組み合わせが所定の条件を満たしているか否かを判定する。報知部は、判定部の判定結果に基づいて、撮影モード検知部の検知結果および判定部の判定結果のうち少なくとも１つを出力する。
【００１２】
このカメラ本体では、必要操作力と撮影モード検知部の検知結果との組み合わせが所定の条件を満たしているか否かが判定部により判定される。さらに、判定部の判定結果に基づいて、撮影モード検知部の検知結果および判定部の判定結果のうち少なくとも１つが出力される。これにより、選択されている撮影モード、あるいは、必要操作力と撮影モードとの関係をユーザーが容易に認識することができ、静止画撮影時および動画撮影時に良好な撮影を行うことができる。
なお、「撮像装置」としては、一体型のデジタルスチルカメラ、交換レンズ式デジタルカメラ、デジタルビデオカメラなどの静止画および動画の撮影が可能な装置が考えられる。また、「カメラ本体」としては、例えば、レンズ鏡筒を含まない本体部分が考えられ、より具体的には、交換レンズ式のデジタルカメラに用いられるカメラ本体が考えられる。
【発明の効果】
【００１３】
本発明によれば、静止画撮影時および動画撮影時に良好な撮影を行える撮像装置およびカメラ本体を提供することができる。
【図面の簡単な説明】
【００１４】
【図１】デジタルカメラ１の構成図
【図２】ズーム操作ユニット９０の断面図（第１操作モード）
【図３】ズーム操作ユニット９０の断面図（第２操作モード）
【図４】ボディコントローラ５０およびその周辺の構成図
【図５】撮影モード選択処理のフローチャート
【図６】撮影モード選択処理のフローチャート
【図７】ズーム操作ユニット１９０の断面図（第１操作モード）
【図８】ズーム操作ユニット１９０の断面図（第２操作モード）
【図９】ボディコントローラ５０およびその周辺の構成図（第２実施形態）
【図１０】撮影モード選択処理のフローチャート（第２実施形態）
【図１１】撮影モード選択処理のフローチャート（第２実施形態）
【図１２】撮影モード選択処理のフローチャート（他の実施形態）
【発明を実施するための形態】
【００１５】
〔第１実施形態〕
＜デジタルカメラの概要＞
図１に示すように、デジタルカメラ１（撮像装置の一例）は、交換レンズ式のデジタルカメラであり、主に、カメラ本体４と、カメラ本体４に取り外し可能に装着された交換レンズユニット７（レンズ鏡筒の一例）と、を備えている。交換レンズユニット７は、カメラ本体４の前面に設けられたボディマウント４１に装着されている。ボディマウント４１には電気接片４１ａが設けられている。レンズマウント７１には電気接片７１ａが設けられている。交換レンズユニット７がカメラ本体４に装着されている状態では、電気接片７１ａおよび４１ａを介してカメラ本体４および交換レンズユニット７は電気的に接続されている。
【００１６】
＜カメラ本体＞
カメラ本体４は、カメラ本体４の前面に設けられたボディマウント４１と、操作ユニット４０と、撮像センサ１０（後述）の露光状態を調節するシャッタユニット４２と、ローパスフィルタ４３と、被写体の光学像を電気信号に変換する撮像センサ１０（撮像素子の一例）と、振れ補正ユニット４５と、撮像センサ１０から出力された電気信号に基づいて画像データを生成する撮像ユニット５（画像データ生成部の一例）と、撮影画像やライブビュー画像や各種情報を表示する画像表示部４４（報知部の一例）と、ライブビュー画像を表示するＥＶＦ（Electrical View Finder）４６と、ボディコントローラ５０と、を有している。
ボディマウント４１には、交換レンズユニット７が装着されており、電気接片４１ａが設けられている。交換レンズユニット７のレンズマウント７１には、電気接片７１ａが設けられており、交換レンズユニット７がカメラ本体４に装着されている状態では、電気接片４１ａが電気接片７１ａと接触している。電気接片４１ａが電気接片７１ａにより、交換レンズユニット７がカメラ本体４と電気的に接続される。
【００１７】
操作ユニット４０は、デジタルカメラ１の電源の入切を操作する電源スイッチ４０ａと、フォーカシング時およびレリーズ時に操作されるレリーズボタン４０ｂ（撮影開始操作部の一例）と、種々の機能のＯＮ／ＯＦＦを切り換える設定スイッチ４０ｃと、静止画撮影モードおよび動画撮影モードを切り換えるために操作される撮影モード切換スイッチ４０ｄ（撮影モード操作部の一例）と、連動ボタン４０ｅ（連動操作部の一例）と、を有している。
電源スイッチ４０ａにより電源がＯＮ状態になると、カメラ本体４および交換レンズユニット７の各部に電源が供給される。レリーズボタン４０ｂは、２段式であって、半押しすることで後述するオートフォーカスやＡＥ（Automatic Exposure）が行われ、全押しすることで撮像ユニット５による静止画データあるいは動画データの生成が行われる。設定スイッチ４０ｃは、カメラ本体４の各種機能を選択するメニュー画面の呼び出し、機能の選択および設定を行うためのスイッチである。
【００１８】
撮影モード切換スイッチ４０ｄは、静止画撮影モードおよび動画撮影モードのうち一方を選択する際にユーザーにより操作される。連動ボタン４０ｅは、連動モード（後述）のＯＮ／ＯＦＦ（連動および非連動）を切り換える際にユーザーにより操作される。連動モードとは、ズーム操作ユニット９０の状態に合わせて撮影モードが自動的に切り換わるモードである。
ローパスフィルタ４３は、ＩＲ（Infrared Ray）カット兼ＯＬＰＦ（Optical Low Pass Filter）であり、撮像ユニット５に入射する被写体像の赤外光を除去する機能、および、モアレ現象を軽減する機能を有している。
撮像センサ１０は、例えば、ＣＣＤ（Charge Coupled Device）イメージセンサやＣＭＯＳ（Complementary Metal-oxide Semiconductor）であり、振れ補正ユニット４５によって光学系Ｏの光軸Ｘに直交する平面内で移動可能に支持されている。
【００１９】
撮像ユニット５は、選択された撮影モードに基づいて静止画データまたは動画データを電気信号から生成する。具体的には、撮像ユニット５は、不揮発性メモリ５０ａ（格納部の一例）と、シャッタユニット４２の駆動を制御するシャッタ制御部５１と、撮像ユニット５を制御する撮像ユニット制御部５２と、例えばカード型記録媒体や内部メモリである画像格納部５８からの画像データの読み出しおよび画像格納部５８への画像データの記録を行う画像再生記録部５３と、画像再生記録部５３を制御する画像記録制御部５４と、画像表示部４４の表示を制御する画像表示制御部５５と、カメラ本体４の振れ量を検出する振れ検出部５６と、振れ補正ユニット４５を制御する補正ユニット制御部５７と、を有している。撮像ユニット制御部５２は、撮像センサ１０から出力される電気信号をＡ／Ｄ変換してボディコントローラ５０へ出力する。
【００２０】
ボディコントローラ５０は、カメラ本体４の中枢を司る制御装置であり、各種シーケンスの制御を行う。ボディコントローラ５０には、例えば、ＣＰＵ（Central Processing Unit）、ＲＯＭ（Read Only Memory）、ＲＡＭ（Random Access Memory）が搭載されている。ＲＯＭに格納されたプログラムがＣＰＵに読み込まれることで、ボディコントローラ５０は様々な機能を実現することができる。
このボディコントローラ５０は、電源スイッチ４０ａ、レリーズボタン４０ｂ、各設定スイッチ４０ｃ、撮影モード切換スイッチ４０ｄおよび連動ボタン４０ｅの状態を検知可能である。また、ボディコントローラ５０は、シャッタ制御部５１、撮像ユニット制御部５２、画像再生記録部５３、画像記録制御部５４および補正ユニット制御部５７に対し制御信号を出力するように構成されており、シャッタ制御部５１、撮像ユニット制御部５２、画像再生記録部５３、画像記録制御部５４および補正ユニット制御部５７にそれぞれの制御を実行させる。また、ボディコントローラ５０は、後述するレンズコントローラ８０とマイコン間通信を行うことができる。
【００２１】
例えば、ボディコントローラ５０の指示により、撮像ユニット制御部５２が撮像センサ１０から出力される電気信号をＡ／Ｄ変換してボディコントローラ５０の画像処理部５０ｈへ出力する。画像処理部５０ｈは、撮像ユニット制御部５２から出力された電気信号に所定の画像処理を施して画像信号（画像データ）を生成し、生成した画像信号を画像再生記録部５３に送信する。
さらに、画像処理部５０ｈは、画像記録制御部５４に画像データの記録および表示を示す制御信号を送信し、画像格納部５８への画像データの保存と画像表示制御部５５への画像データの送信を画像記録制御部５４に行わせる。画像表示制御部５５は、送信されてきた画像データに基づいて画像表示部４４を制御して、画像表示部４４に画像を表示させる。ボディコントローラ５０の構成の詳細については後述する。
【００２２】
不揮発性メモリ５０ａには、カメラ本体４に関する各種情報（本体情報）が格納されている。この本体情報には、例えば、カメラ本体４のメーカー名、製造年月日、型番、ボディコントローラ５０にインストールされているソフトのバージョン、およびファームアップに関する情報などのカメラ本体４を特定するための型式に関する情報（本体特定情報）、カメラ本体４が振れ補正ユニット４５および振れ検出部５６等の像振れを補正するための手段を搭載しているか否かに関する情報、振れ検出部５６の型番および感度などの検出性能に関する情報、エラー履歴なども含まれている。
なお、不揮発性メモリ５０ａは、レンズコントローラ８０から送信された情報を格納可能である。また、これらの情報は、不揮発性メモリ５０ａの代わりにボディコントローラ５０内のメモリ５９に格納されていてもよい。
【００２３】
振れ検出部５６は、手振れなどに起因するカメラ本体４の移動量を検出する角速度センサを有している。振れ検出部５６は、カメラ本体４が静止している状態での出力を基準としてカメラ本体４が動く方向および移動量に応じて正負の角速度信号を出力する。なお、本実施の形態では、ヨーイング方向およびピッチング方向の２方向の角速度を検出するために、２つの角速度センサが設けられている。出力された角速度信号は、フィルタ処理、アンプ処理等を経て、Ａ／Ｄ変換部によりデジタル信号に変換されてボディコントローラ５０に与えられる。
＜交換レンズユニット＞
交換レンズユニット７は、主に、被写体の光学像を撮像センサ１０上に形成する光学系Ｏと、フォーカシングを行うフォーカス調節部７Ａと、絞りを調節する絞り調節部７Ｂと、光路を調節することで撮像センサ１０上に形成される光学像の振れを補正するレンズ用振れ補正部７Ｃと、交換レンズユニット７の動作を制御するレンズ制御ユニット８と、焦点距離を変更するために操作されるズーム操作ユニット９０と、を有している。
【００２４】
交換レンズユニット７は、レンズマウント７１を介してカメラ本体４のボディマウント４１に取り付けられている。また、レンズマウント７１には、交換レンズユニット７がカメラ本体４に取り付けられたときにボディマウント４１の電気接片４１ａと電気的に接続される電気接片７１ａが設けられている。
フォーカス調節部７Ａはフォーカスを調節するフォーカスレンズ群７２と、フォーカス駆動部８２と、を有している。フォーカスレンズ群７２は、交換レンズユニット７の規格として定められた最至近合焦位置から無限合焦位置までの区間で光軸Ｘ方向に移動可能である。なお、フォーカスレンズ群７２は、必ずしも複数のレンズで構成される必要はなく、１枚のレンズで構成されていてもよい。
絞り調節部７Ｂは絞りまたは開放を調節する絞り部７３を有している。
【００２５】
レンズ用振れ補正部７Ｃは、補正レンズ７４と、補正レンズ７４を光軸Ｘに直交する平面内で移動させる補正レンズ駆動部７４ａと、を有している。
レンズ制御ユニット８は、レンズコントローラ８０と、不揮発性メモリ８０ａと、フォーカスレンズ群７２を制御するフォーカスレンズ群制御部８１と、フォーカスレンズ群制御部８１の制御信号に基づいてフォーカスレンズ群７２を駆動するフォーカス駆動部８２と、絞り部７３の動作を制御する絞り制御部８３と、交換レンズユニット７の振れ量を検出する振れ検出部８４と、補正レンズ駆動部７４ａを制御する振れ補正制御部８５と、を有している。
レンズコントローラ８０は、交換レンズユニット７の中枢を司る制御装置であり、交換レンズユニット７に搭載された各部に接続されている。具体的には、レンズコントローラ８０には、ＣＰＵ、ＲＯＭ、ＲＡＭが搭載されており、ＲＯＭに格納されたプログラムがＣＰＵに読み込まれることで、様々な機能を実現することができる。例えば、レンズコントローラ８０は、ボディコントローラ５０で生成された信号に基づいてレンズ用振れ補正部７Ｃによる振れ補正のＯＮおよびＯＦＦの状態を切り換える機能を有している。レンズマウント７１に設けられた電気接片７１ａとボディマウント４１に設けられた電気接片４１ａとの接触により、ボディコントローラ５０およびレンズコントローラ８０が電気的に接続される。これにより、ボディコントローラ５０とレンズコントローラ８０とは互いに情報の送受信が可能となっている。
【００２６】
不揮発性メモリ８０ａには、交換レンズユニット７に関する各種情報（レンズ情報）が格納されている。このレンズ情報には、例えば、交換レンズユニット７のメーカー名、製造年月日、型番、レンズコントローラ８０にインストールされているソフトのバージョンおよびファームアップに関する情報などの交換レンズユニット７を特定するための型式に関する情報（レンズ特定情報）、交換レンズユニット７が補正レンズ駆動部７４ａおよび振れ検出部８４の手振れの影響を抑制するための装置を搭載しているか否かに関する情報、手振れの影響を抑制するための装置を搭載している場合は、振れ検出部８４の型番および感度などの検出性能に関する情報、補正レンズ駆動部７４ａの型番および最大補正可能角度などの補正性能に関する情報（レンズ側補正性能情報）、振れ補正を行うためのソフトのバージョンなどが含まれている。
【００２７】
さらに、レンズ情報には、補正レンズ駆動部７４ａの駆動に必要な消費電力に関する情報（レンズ側消費電力情報）および補正レンズ駆動部７４ａの駆動方式に関する情報（レンズ側駆動方式情報）も含まれている。
なお、不揮発性メモリ８０ａは、ボディコントローラ５０から送信された情報を格納可能である。また、これらの情報は、不揮発性メモリ８０ａの代わりに、レンズコントローラ８０内のメモリ部（図示せず）に格納されていてもよい。
フォーカスレンズ群制御部８１は、フォーカスレンズ群７２の光軸方向の絶対位置を検出する絶対位置検出部８１ａと、フォーカスレンズ群７２の光軸方向の相対位置を検出する相対位置検出部８１ｂと、を有している。絶対位置検出部８１ａは、交換レンズユニット７の筐体におけるフォーカスレンズ群７２の絶対位置を検出するセンサである。絶対位置検出部８１ａは、例えば、数ｂｉｔの接触型エンコーダ基板とブラシとを有している。相対位置検出部８１ｂは、それのみではフォーカスレンズ群７２の詳細な位置を検出することができないが、フォーカスレンズ群７２の移動方向は検出可能であり、例えば二相エンコーダを用いている。二相エンコーダは、フォーカスレンズ群７２の光軸方向の位置に応じて等しいピッチで２値の信号を交互に出力する２つのセンサを有している。二相エンコーダに用いられるセンサとしては、例えば回転パルスエンコーダ、ＭＲ素子およびホール素子が考えられる。２つのセンサは、出力の位相がずれるようにピッチをずらした状態で配置されている。レンズコントローラ８０は、相対位置検出部８１ｂの出力からフォーカスレンズ群７２の光軸方向の相対位置を算出する。
【００２８】
振れ検出部８４は、手振れなどに起因する交換レンズユニット７の動き量を検出する角速度センサ（図示せず）を有している。角速度センサは、交換レンズユニット７が静止している状態での出力を基準として交換レンズユニット７が動く方向および移動量に応じて正負の角速度信号を出力する。
なお、本実施の形態では、ヨーイング方向およびピッチング方向の２方向を検出するために２つの角速度センサが設けられている。出力された角速度信号は、フィルタ処理、アンプ処理等を経て、Ａ／Ｄ変換部によりデジタル信号に変換されてレンズコントローラ８０に送信される。
振れ補正制御部８５は、移動量検出センサ（図示せず）を有している。移動量検出センサは補正レンズ７４の実際の移動量を検出する。振れ補正制御部８５は、移動量検出センサで検出された移動量に基づいて補正レンズ７４を帰還制御している。
【００２９】
なお、カメラ本体４および交換レンズユニット７の両方に振れ検出部５６および８４と振れ補正ユニット４５および７４ａを搭載した例を示したが、カメラ本体４および交換レンズユニット７の何れか一方に振れ検出部８４およびレンズ用振れ補正部７Ｃが搭載されていてもよく、何れにも振れ検出部および振れ補正装置が搭載されていない場合であってもよい。
＜ズーム操作ユニット＞
ここで、ズーム操作ユニット９０について説明する。図２および図３はズーム操作ユニットの断面図である。図２はズーム操作トルク（必要操作力）が通常レベルである第１操作モード（第１の状態の一例）を示しており、図３はズーム操作トルクが第１操作モードよりも小さい第２操作モード（第２の状態の一例）を示している。
【００３０】
図２および図３に示すように、ズーム操作ユニット９０は、回転枠７５の外周側に配置されている機構であり、ズームリング９１（操作部材の一例）と、伝達機構Ｔと、操作モード切換スイッチ９２（状態操作部の一例）と、検知センサ１１１（状態検知部の一例）と、を有している。回転枠７５の内周側には直進枠７６が配置されている。また、回転枠７５のカム溝７５ｃおよび７５ｄには、第１レンズ枠７７のカムピン７７ａおよび第２レンズ枠７８のカムピン７８ａがそれぞれ挿入されている。回転枠７５がケース７ａに対して回転すると、カム溝７５ｃおよび７５ｄにより第１レンズ枠７７および第２レンズ枠７８がそれぞれ案内される。これにより、光学系Ｏの焦点距離を調整することができる。
ズーム操作ユニット９０は、ズームリング９１のズーム操作トルクを２段階に設定することができる。具体的には、ズーム操作ユニット９０では、図２に示す第１操作モードでの第１操作力と、図３に示す第２操作モードでの第２操作力と、にズーム操作トルクを設定可能である。動画撮影を考慮して第２操作力は第１操作力よりも小さく設定されている。
【００３１】
ズームリング９１は、交換レンズユニット７のケース７ａにより回転可能に支持された円筒状の部材であり、光学系Ｏの焦点距離を調整する際にユーザーにより操作される。ズームリング９１は伝達機構Ｔによりデジタルカメラ１０１に機械的に連結されている。
伝達機構Ｔは、ズームリング９１に入力される操作力を機械的に光学系Ｏ（より詳細には、光学系Ｏを支持する回転枠７５）に伝達する機構であり、第１操作モードと、第１操作モードよりもズームリング９１のズーム操作トルクが小さくなる第２操作モードと、をとり得る。伝達機構Ｔは、第１減速機構Ｔ１および第２減速機構Ｔ２を有しており、第１減速機構Ｔ１が第１操作モードに対応しており、第２減速機構Ｔ２が第２操作モードに対応している。
第１減速機構Ｔ１は、第１操作モードで作動する機構であり、アイドルギヤ９３と、クラッチ軸９４（切り換え部材の一例）と、アイドルギヤ９７（第１ギヤの一例）と、を有している。
【００３２】
アイドルギヤ９３は、第１操作モードおよび第２操作モードの両方で作動する部材であり、ケース７ａに固定されたピン９３ａによりケース７ａに対して回転可能に支持されている。アイドルギヤ９３は、ズームリング９１の内周部に形成されたギヤ９１ａと噛み合っており、クラッチ軸９４の外周部に形成されたギヤ９４ａと噛み合っている。このため、ズームリング９１に入力された操作力は、アイドルギヤ９３を介してクラッチ軸９４に伝達される。
クラッチ軸９４は、伝達機構Ｔの状態を第１操作モードおよび第２操作モードに切り換えるための部材であり、ケース７ａにより回転可能かつ軸方向（図２および図３の左右方向）に移動可能に支持されている。クラッチ軸９４は、第１操作モードではズームリング９１とアイドルギヤ９７とを連結し、かつ、第２操作モードではズームリング９１と減速ギヤ９８とを連結するように設けられている。
【００３３】
クラッチ軸９４の端部には、第１操作モードおよび第２操作モードの切り換えに用いられるクラッチ板９６が固定されている。クラッチ板９６は、アイドルギヤ９７および減速ギヤ９８のうち一方と連結可能に設けられており、アイドルギヤ９７側に配置された第１クラッチギヤ９６ａと、減速ギヤ９８側に配置された第２クラッチギヤ９６ｂと、を有している。クラッチ軸９４が軸方向に移動することで、クラッチ板９６と一体回転する部材が切り換わる。
アイドルギヤ９７は、第１操作モードで作動するギヤであり、クラッチ軸９４により回転可能に支持されている。アイドルギヤ９７は回転枠７５の外周部に形成された第１ギヤ部７５ａと噛み合っている。アイドルギヤ９７の側方にはクラッチギヤ９７ａが設けられており、クラッチ板９６の第１クラッチギヤ９６ａと噛み合い可能に配置されている。
【００３４】
第２減速機構Ｔ２は、第２操作モードで作動する機構であり、アイドルギヤ９３と、クラッチ軸９４と、減速ギヤ９８（第２ギヤの一例）と、減速ギヤ９９と、アイドルギヤ１００と、を有している。つまり、第１減速機構Ｔ１および第２減速機構Ｔ２はアイドルギヤ９３およびクラッチ軸９４を共有している。
減速ギヤ９８は、ケース７ａに固定された支持部材７ｂにより回転可能に支持されている。減速ギヤ９８は、第２操作モードで作動するギヤであり、クラッチ板９６の第２クラッチギヤ９６ｂと噛み合い可能に配置されている。減速ギヤ９８は減速ギヤ９９と噛み合っている。
減速ギヤ９９は支持部材７ｂにより回転可能に支持されている。減速ギヤ９９は、減速ギヤ９８と噛み合っており、さらにアイドルギヤ１００と噛み合っている。アイドルギヤ１００は減速ギヤ９８により回転可能に支持されている。アイドルギヤ１００は回転枠７５の外周部に形成された第２ギヤ部７５ｂと噛み合っている。
【００３５】
操作モード切換スイッチ９２は、伝達機構Ｔの状態を第１操作モードおよび第２操作モードのうち一方に切り換える際にユーザーにより操作される部材であり、ケース７ａにより軸方向に移動可能に支持されている。操作モード切換スイッチ９２は、クラッチ軸９４の端部に形成された溝９４ｂに嵌まり込んだスイッチ本体９２ａと、スイッチ本体９２ａから軸方向に延びる支持部９２ｂと、を有している。スイッチ本体９２ａが溝９４ｂに嵌り込んでいるため、操作モード切換スイッチ９２が軸方向に移動すると、操作モード切換スイッチ９２ともにクラッチ軸９４も軸方向に移動する。つまり、クラッチ軸９４は操作モード切換スイッチ９２と連動する。
支持部９２ｂには、２本の溝９２ｃおよび９２ｄが形成されており、クリックバネ９５の端部が溝９２ｃおよび９２ｄのうち一方に嵌り込む。これにより、操作モード切換スイッチ９２は第１位置１１および第２位置１２のうち一方に位置決めされ、これに伴い、クラッチ軸９４が第１位置Ｐ１および第２位置Ｐ２のうち一方に位置決めされる。
【００３６】
検知センサ１１１は、伝達機構Ｔの状態が第１操作モードおよび第２操作モードのいずれであるかを検知するセンサであり、金属製の２つのプレート１１１ａおよび１１１ｂを有している。プレート１１１ａおよび１１１ｂは、互いに軸方向に隙間を空けて配置されている。図２に示すように、クラッチ軸９４が第１位置Ｐ１に配置されている場合、プレート１１１ａはクラッチ軸９４の端部によりプレート１１１ｂ側に押されており、この結果、プレート１１１ａがプレート１１１ｂと接触する。つまり、第１操作モードでは検知センサ１１１の接点がＯＮになる。
図３に示すように、クラッチ軸９４が第２位置Ｐ２に配置されている場合、プレート１１１ａはクラッチ軸９４と接触しないため、プレート１１１ａはプレート１１１ｂと接触しない。つまり、第２操作モードでは検知センサ１１１の接点はＯＦＦとなる。
【００３７】
このように、検知センサ１１１によりクラッチ軸９４および操作モード切換スイッチ９２の位置を検知することができ、伝達機構Ｔの状態を検知することができる。
ここで、ズーム操作ユニット９０の動作について説明する。
図２に示す第１操作モードは、静止画撮影モードに対応した状態であり、切り換えスイッチ９２は右側の第１位置Ｐ１１までスライドされており、クリックバネ９５によって切り換えスイッチ９２は第１位置Ｐ１１で保持されている。このとき、操作モード切換スイッチ９２によりクラッチ軸９４も第１位置Ｐ１に保持されているため、クラッチ板９６の第１クラッチギヤ９６ａがアイドルギヤ９７のクラッチギヤ９７ａと噛み合っている。つまり、第１減速機構Ｔ１によりズームリング９１が回転枠７５に機械的に連結されている。
【００３８】
この状態で、光学系Ｏの焦点距離が所望の距離になるように、ユーザーがズームリング９１を回転操作すると、ズームリング９１に入力された操作力（ズーム操作トルク）が、ズームリング９１のギヤ９１ａ、アイドルギヤ９３およびクラッチ軸９４を介してアイドルギヤ９７に伝達される。このとき、第１減速機構Ｔ１の第１減速比は比較的小さいため、ズームリング９１の回転量（操作量）はほとんど減速されずに、回転枠７５に伝達される。このため、ユーザーが必要と感じる程度のズームリング９１の操作力を確保でき、静止画撮影時に適度な操作感が得られる。
一方、図３に示す第２操作モードは、動画撮影モードに対応した状態であり、切り換えスイッチ９２は左側の第２位置Ｐ１２までスライドされており、クリックバネ９５によって切り換えスイッチ９２は第２位置Ｐ１２で保持されている。このとき、操作モード切換スイッチ９２によりクラッチ軸９４も第２位置Ｐ２に保持されているため、クラッチ板９６の第２クラッチギヤ９６ｂが減速ギヤ９８のクラッチギヤ９８ａと噛み合っている。つまり、第２減速機構Ｔ２によりズームリング９１が回転枠７５に機械的に連結されている。
【００３９】
この状態で、光学系Ｏの焦点距離が所望の距離になるように、ユーザーがズームリング９１を回転操作すると、ズームリング９１に入力された操作力（ズーム操作トルク）が、ズームリング９１のギヤ９１ａ、アイドルギヤ９３およびクラッチ軸９４を介して減速ギヤ９８に伝達される。減速ギヤ９８が回転すると、減速ギヤ９９およびアイドルギヤ１００が回転し、さらに回転枠７５が回転する。このとき、減速ギヤ９８、減速ギヤ９９およびアイドルギヤ１００により、ズームリング９１の回転量（操作量）が大きく減速された状態で、回転枠７５に伝達されるため、静止画撮影時に比べて、ズームリング９１の操作力を小さくすることができ、ズームリング９１の操作に起因する動画撮影時のデジタルカメラ１の振れを抑制できる。
また、図２に示す状態では、検知センサ１１１の接点がＯＮであるため、ボディコントローラ５０は検知センサ１１１の検知結果に基づいてズーム操作ユニット９０が第１操作モードであることを認識する。図３に示す状態では、検知センサ１１１の接点がＯＦＦであるため、ボディコントローラ５０は検知センサ１１１の検知結果に基づいてズーム操作ユニット９０が第２操作モードであることを認識する。このように、ボディコントローラ５０は検知センサ１１１の検知結果に基づいてズーム操作ユニット９０の状態を認識することができる。
【００４０】
＜ボディコントローラ＞
撮影モードが自動的に選択される機能を実現するために、ボディコントローラ５０は、撮影モード選択部５０ｃと、撮影モード検知部５０ｄと、連動検知部５０ｅと、判定部５０ｆと、報知指令部５０ｇ（報知部の一例）と、を有している。本実施形態では、撮影モード選択部５０ｃ、撮影モード検知部５０ｄ、連動検知部５０ｅ、判定部５０ｆおよび報知指令部５０ｇは、プログラム等により実現されている機能ブロックである。
撮影モード選択部５０ｃは、連動ボタン４０ｅがＯＮの場合（連動ボタン４０ｅにより「連動」が選択されている場合）、検知センサ１１１の検知結果に基づいて、静止画撮影モードおよび動画撮影モードのうち一方を撮影モードとして選択する。具体的には、伝達機構Ｔが第１操作モードである場合、撮影モード選択部５０ｃは撮影モードとして静止画撮影モードを選択し、伝達機構Ｔが第２操作モードである場合、撮影モード選択部５０ｃは撮影モードとして動画撮影モードを選択する。つまり、連動ボタン４０ｅがＯＮであれば、撮影モード検知部５０ｄの検知結果よりも検知センサ１１１の検知結果が優先される。
【００４１】
さらに、撮影モード選択部５０ｃは選択した撮影モードを一時的に保持する。撮影モード選択部５０ｃにより選択された撮影モードは、例えば撮像ユニット５および画像処理部５０ｈにより参照される。例えば、撮影モード選択部５０ｃにより選択された撮影モードが静止画撮影モードである場合、撮像ユニット５は撮像センサ１０から出力される電気信号から静止画データを生成し、撮影モード選択部５０ｃにより選択された撮影モードが動画撮影モードである場合、撮像ユニット５は撮像センサ１０から出力される電気信号から動画データを生成する。
また、撮影モード選択部５０ｃは、連動ボタン４０ｅがＯＦＦの場合（連動ボタン４０ｅにより「非連動」が選択されている場合、あるいは、連動ボタン４０ｅにより「連動」が選択されていない場合）、撮影モード検知部５０ｄの検知結果に基づいて静止画撮影モードおよび動画撮影モードのうち一方を選択するようになっている。つまり、連動ボタン４０ｅがＯＦＦであれば、検知センサ１１１の検知結果よりも撮影モード検知部５０ｄの検知結果が優先される。
【００４２】
撮影モード検知部５０ｄは、撮影モード切換スイッチ４０ｄの状態（撮影モード切換スイッチ４０ｄを用いて選択された撮影モード）を検知する。具体的には、撮影モード検知部５０ｄは、撮影モード切換スイッチ４０ｄにより静止画撮影モードおよび動画撮影モードのうちいずれが選択されているかを検知する。
連動検知部５０ｅは連動ボタン４０ｅの状態（ＯＮおよびＯＦＦ）を検知する。前述のように、連動ボタン４０ｅの状態に応じて、撮影モード選択部５０ｃにより撮影モードが自動的に選択されるか否かが決まる。連動ボタン４０ｅがＯＮの場合、検知センサ１１１に基づいて撮影モード選択部５０ｃにより撮影モードが自動的に選択され、連動ボタン４０ｅがＯＦＦの場合、撮影モード切換スイッチ４０ｄで選択された撮影モードが優先される。
【００４３】
判定部５０ｆは伝達機構Ｔの状態と撮影モードとの組み合わせが所定の条件を満たしているか否かを判定する。具体的には、判定部５０ｆは、検知センサ１１１の検知結果（つまり、伝達機構Ｔの状態）と撮影モード検知部５０ｄの検知結果（つまり、選択された撮影モード）との組み合わせが所定の条件を満たしているか否かを判定する。
ここで、所定の条件とは、選択された撮影モードが静止画撮影モードである場合に、伝達機構Ｔの状態が第１操作モードであること、および、選択された撮影モードが動画撮影モードである場合に、伝達機構Ｔの状態が第２操作モードであること、である。
言い換えると、伝達機構Ｔの状態が第１操作モードであり、かつ、選択された撮影モードが動画撮影モードである場合は、所定の条件を満たしておらず、また、伝達機構Ｔの状態が第２操作モードであり、かつ、選択された撮影モードが静止画撮影モードである場合は、所定の条件を満たしていない。
【００４４】
報知指令部５０ｇは、判定部５０ｆの判定結果に基づいて、判定部５０ｆの判定結果をユーザーに知らせるための制御信号を生成する。具体的には、ズーム操作ユニット９０の操作モード（伝達機構Ｔの状態）と撮影モードとの組み合わせが所定の条件（前述）を満たしていないと判定部５０ｆが判定していれば、報知指令部５０ｇは画像表示制御部５５に警告表示指令を送信する。この結果、画像表示制御部５５を介して画像表示部４４に警告が表示される。表示される警告の内容は、例えば、伝達機構Ｔの状態が撮影モードに適していない旨、および、現在選択されている撮影モードに合った伝達機構Ｔの状態、が考えられる。
一方、ズーム操作ユニット９０の操作モード（伝達機構Ｔの状態）と撮影モードとの組み合わせが所定の条件（前述）を満たしていると判定部５０ｆが判定していれば、報知指令部５０ｇは警告表示のための制御信号を生成しない。
【００４５】
なお、上記の報知指令部５０ｇによる警告表示処理は、連動ボタン４０ｅにより「非連動」が選択されている場合にのみ実行される。
＜撮影モード選択処理＞
以上に説明したデジタルカメラ１は、撮影モード切換スイッチ４０ｄを用いた撮影モードの選択機能に加えて、ズーム操作ユニット９０の状態に応じて撮影モードを自動的に切り換える機能（連動モード）を備えている。この自動切換機能を実現する撮影モード選択処理について説明する。
図５に示すように、デジタルカメラ１の電源がＯＮの状態で、連動ボタン４０ｅの状態が撮影モード選択部５０ｃにより判定される（Ｓ１）。具体的には、連動ボタン４０ｅの状態が連動検知部５０ｅにより検知され、連動検知部５０ｅの検知結果に基づいて、撮影モードの選択処理を検知センサ１１１の検知結果に連動させるか否か（言い換えると、検知センサ１１１および撮影モード検知部５０ｄのうちいずれの検知結果を優先させるか）が撮影モード選択部５０ｃにより決定される。
【００４６】
（１）連動時
例えば、連動ボタン４０ｅがＯＮの場合（つまり、連動ボタン４０ｅにより「連動」が選択されている場合）、撮影モードの選択処理が検知センサ１１１の検知結果に連動する。
この場合、撮影モード検知部５０ｄの検知結果よりも検知センサ１１１の検知結果が優先されるため、検知センサ１１１の接点がＯＮおよびＯＦＦのうちいずれであるかが撮影モード選択部５０ｃに判定され（Ｓ２）、検知センサ１１１の検知結果に基づいて静止画撮影モードおよび動画撮影モードのうち一方が撮影モードとして選択される（Ｓ３Ａ、Ｓ３Ｂ）。
検知センサ１１１の接点がＯＦＦの場合、ズーム操作ユニット９０は図３に示す第２操作モードであるため、ズーム操作ユニット９０の必要操作力が通常レベルよりも小さくなる。この場合、ズーム操作ユニット９０の状態が動画撮影に適していると言えるため、図５に示すように、検知センサ１１１の検知結果に基づいて、撮影モード選択部５０ｃにより動画撮影モードが撮影モードとして選択される（Ｓ２、Ｓ３Ａ）。
【００４７】
一方、検知センサ１１１の接点がＯＮの場合、ズーム操作ユニット９０は図２に示す第１操作モードであるため、ズーム操作ユニット９０の必要操作力が通常レベルに設定されている。この場合、ズーム操作ユニット９０の状態が静止画撮影に適していると言えるため、図５に示すように、検知センサ１１１の検知結果に基づいて、撮影モード選択部５０ｃにより静止画撮影モードが撮影モードとして選択される（Ｓ２、Ｓ３Ｂ）。
さらに、ステップＳ３ＡまたはＳ３Ｂでの撮影モードの選択後、レリーズボタン４０ｂの状態がボディコントローラ５０により監視される（Ｓ４Ａ、Ｓ４Ｂ）。例えば、動画撮影モードが選択された場合、レリーズボタン４０ｂが全押しされなければ、処理はステップＳ１に移行するが、レリーズボタン４０ｂが全押しされると、動画撮影が開始される（Ｓ４Ａ、Ｓ５Ａ）。具体的には、撮像センサ１０から出力された電気信号が順次、撮像ユニット制御部５２によりＡ／Ｄ変換され、撮像ユニット制御部５２から出力された電気信号に所定の画像処理が画像処理部５０ｈにより施され、画像信号が順次生成される。生成された画像信号が画像処理部５０ｈから画像再生記録部５３に送信される。画像再生記録部５３に送信された画像信号は、動画データとして記録媒体に順次記録される。動画撮影はレリーズボタン４０ｂが再び全押しされた時点で終了する（Ｓ６Ａ、Ｓ７Ａ）。
【００４８】
動画撮影中、必要に応じてユーザーはズームリング９１を操作し焦点距離を調整する。このとき、ズーム操作ユニット９０が第２操作モードであるため、ズームリング９１の必要操作力が比較的小さくなっており、小さな力でズームリング９１を望遠側および広角側に回転させることができる。これにより、動画撮影中にズームリング９１の操作により生じるデジタルカメラ１の振れを抑制することができ、良好な動画撮影を行うことができる。動画撮影が終了すると処理はステップＳ１に移行する。
一方、ステップＳ３Ｂにおいて静止画撮影モードが選択された場合、レリーズボタン４０ｂが半押しされると、静止画撮影が行われる。具体的には、レリーズボタン４０ｂが半押しされなければ、レリーズボタン４０ｂが半押しされると、絞り調整およびオートフォーカス等の準備動作が開始され（Ｓ４Ｂ、Ｓ５Ｂ）、レリーズボタン４０ｂが全押しされると、生成された画像信号が画像処理部５０ｈから画像再生記録部５３に送信され、画像再生記録部５３に送信された画像信号が静止画データとして記録媒体に記録される（Ｓ６Ｂ、Ｓ７Ｂ）。
【００４９】
静止画撮影時には、必要に応じてユーザーはズームリング９１を操作し焦点距離を調整する。このとき、ズーム操作ユニット９０が第１操作モードであるため、ズームリング９１の必要操作力が通常レベルとなっており、ズームリング９１を望遠側および広角側に回転させる際に比較的大きな力が必要となる。このため、静止画撮影時にズームリング９１の適度な操作感を得ることができ、良好な静止画撮影を行うことができる。静止画撮影が終了すると処理はステップＳ１に移行する。
（２）非連動時
次に、ステップＳ１において連動ボタン４０ｅがＯＦＦの場合について説明する。図５および図６に示すように、ステップＳ１において連動ボタン４０ｅがＯＦＦの場合（つまり、「非連動」が選択されている場合）、撮影モードの選択処理が検知センサ１１１の検知結果に連動しない。
【００５０】
この場合、検知センサ１１１の検知結果よりも撮影モード検知部５０ｄの検知結果が優先されるため、撮影モード切換スイッチ４０ｄでいずれの撮影モードが選択されているかが撮影モード選択部５０ｃにより判定される（Ｓ１０）。具体的には、撮影モード切換スイッチ４０ｄにより選択されている撮影モードが撮影モード検知部５０ｄにより検知され、撮影モード検知部５０ｄの検知結果に基づいて、撮影モード選択部５０ｃが静止画撮影モードおよび動画撮影モードのうち一方を撮影モードとして選択する（Ｓ１１Ａ、Ｓ１１Ｂ）。
撮影モード切換スイッチ４０ｄにより動画撮影モードが選択されている場合、撮影モード選択部５０ｃにより動画撮影モードが撮影モードとして選択される（Ｓ１０、Ｓ１１Ａ）。一方、撮影モード切換スイッチ４０ｄにより静止画撮影モードが選択されている場合（つまり、撮影モード切換スイッチ４０ｄにより動画撮影モードが選択されていない場合）、撮影モード選択部５０ｃにより静止画撮影モードが撮影モードとして選択される（Ｓ１０、Ｓ１１Ｂ）。
【００５１】
さらに、ステップＳ１１ＡおよびＳ１１Ｂでの撮影モードの選択後、ズーム操作ユニット９０の操作モードと選択された撮影モードとの組み合わせが所定の条件を満たしているか否かが判定部５０ｆにより判定される（Ｓ１２Ａ、Ｓ１２Ｂ）。
例えば、ステップＳ１１Ａにおいて動画撮影モードが選択された場合、検知センサ１１１の接点がＯＦＦであれば、ズーム操作ユニット９０の状態が動画撮影に適した第２操作モードであるため、操作モードと撮影モードとの組み合わせが所定の条件を満たしていると判定部５０ｆにより判定される（Ｓ１２Ａ）。この場合、ズーム操作ユニット９０の状態が動画撮影モードと整合しているため、警告表示は行われず、処理はステップＳ４Ａに移行する。
一方、検知センサ１１１の接点がＯＮであれば、ズーム操作ユニット９０の状態が動画撮影モードに適していない第１操作モードであるため、操作モードと撮影モードとの組み合わせが所定の条件を満たしていないと判定部５０ｆにより判定される（Ｓ１２Ａ）。この場合、ズーム操作ユニット９０の状態が動画撮影モードと整合していないため、ズーム操作ユニット９０の状態が動画撮影モードと整合していないことを示す信号が判定部５０ｆにより生成され、この信号が判定部５０ｆから報知指令部５０ｇへ送られる。この信号に基づいて報知指令部５０ｇにより警告表示を行う旨の制御信号が生成され、この警告表示信号は報知指令部５０ｇから画像再生記録部５３を介して画像表示制御部５５へ送信される。画像表示制御部５５に警告表示指令が送信されると、警告表示指令に基づいて、ズーム操作ユニット９０の状態が選択されている撮影モードと整合していない旨が画像表示部４４（あるいは、ＥＶＦ６）に表示される（Ｓ１３Ａ）。警告表示後、処理はステップＳ４Ａに移行し、状況に応じて動画撮影が行われる。
【００５２】
ステップＳ１１Ｂにおいて静止画撮影モードが選択された場合、検知センサ１１１の接点がＯＮであれば、ズーム操作ユニット９０の状態が静止画撮影に適した第１操作モードであるため、操作モードと撮影モードとの組み合わせが所定の条件を満たしていると判定部５０ｆにより判定される（Ｓ１２Ｂ）。この場合、ズーム操作ユニット９０の状態が静止画撮影モードと整合しているため、警告表示は行われず、処理はステップＳ４Ｂに移行する。
一方、検知センサ１１１の接点がＯＦＦであれば、ズーム操作ユニット９０の状態が静止画撮影モードに適していない第２操作モードであるため、操作モードと撮影モードとの組み合わせが所定の条件を満たしていないと判定部５０ｆにより判定される（Ｓ１２Ｂ）。この場合、ズーム操作ユニット９０の状態が静止画撮影モードと整合していないため、ズーム操作ユニット９０の状態が静止画撮影モードと整合していないことを示す信号が判定部５０ｆにより生成され、この信号が判定部５０ｆから報知指令部５０ｇへ送られる。この信号に基づいて報知指令部５０ｇにより警告表示を行う制御信号が生成され、報知指令部５０ｇから画像再生記録部５３を介して画像表示制御部５５へ警告表示指令が送信される。画像表示制御部５５に警告表示指令が送信されると、警告表示指令に基づいて、ズーム操作ユニット９０の状態が選択されている撮影モードと整合していない旨が画像表示部４４（あるいはＥＶＦ４６）に表示される（Ｓ１３Ｂ）。警告表示後、処理はステップＳ４Ｂに移行し、状況に応じて動画撮影が行われる。
【００５３】
＜特徴＞
（１）
以上に説明したように、このデジタルカメラ１では、ズーム操作ユニット９０の状態（より詳細には、伝達機構Ｔの状態）が第１操作モードである場合は、静止画撮影モードが撮影モード選択部５０ｃにより選択され（図５のステップＳ２、Ｓ３Ｂ）、ズーム操作ユニット９０が第１操作モードよりも必要操作力が小さい第２操作モードである場合は、動画撮影モードが撮影モード選択部５０ｃにより選択される（図５のステップＳ２、Ｓ３Ａ）。このように、検知センサ１１１の検知結果に基づいて静止画撮影モードおよび動画撮影モードのうち一方が撮影モード選択部５０ｃにより選択されるため、動画撮影時には比較的小さい操作力で光学系Ｏの焦点距離を調整することができる、動画撮影時にズームリング９１の操作により生じるデジタルカメラ１の振れを抑えることができる。これにより、静止画撮影時および動画撮影時に良好な撮影を行うことができる。
【００５４】
（２）
また、操作モード切換スイッチ９２が伝達機構Ｔに機械的に連結されており、操作モード切換スイッチ９２により伝達機構Ｔの状態を第１操作モードおよび第２操作モードのうち一方に切り換えることができる。この場合、操作モード切換スイッチ９２を操作することで、操作モードだけでなく撮影モードも自動的に切り換えることができる。これにより、撮影モードの切り換えが容易となり、デジタルカメラ１の利便性を高めることがきる。
（３）
図５に示すように、連動ボタン４０ｅがＯＮの場合、検知センサ１１１の検知結果に基づいて撮影モード選択部５０ｃにより静止画撮影モードおよび動画撮影モードのうち一方が選択される（図５のステップＳ１、Ｓ２、Ｓ３ＡおよびＳ３Ｂ）。連動ボタン４０ｅがＯＦＦの場合、撮影モード検知部５０ｄの検知結果に基づいて撮影モード選択部５０ｃにより静止画撮影モードおよび動画撮影モードのうち一方が選択される（図５のステップＳ１、図６のステップＳ１０、Ｓ１１ＡおよびＳ１１Ｂ）。
【００５５】
これらの構成により、伝達機構Ｔの状態に合わせて撮影モードが自動選択される機能に加えて、撮影モード切換スイッチ４０ｄを用いてユーザーが撮影モードを選択できる機能も実現できる。これにより、デジタルカメラ１の利便性をさらに高めることができる。
（４）
図６に示すように、検知センサ１１１の検知結果と撮影モード検知部５０ｄの検知結果との組み合わせが所定の条件を満たしているか否かが判定部５０ｆにより判定される（図６のステップＳ１０、Ｓ１２ＡおよびＳ１２Ｂ）。さらに、操作モード（伝達機構Ｔの状態）と撮影モードとの組み合わせが所定の条件を満たしていない場合は、報知指令部５０ｇから画像表示制御部５５へ警告表示指令が送信され、操作モードと撮影モードとが整合していない旨の警告が画像表示部４４に表示される（図６のステップＳ１３ＡおよびＳ１３Ｂ）。これにより、検知センサ１１１の検知結果に基づいて自動的に撮影モードが選択されない場合であっても、伝達機構Ｔの状態と撮影モードとの関係をユーザーが容易に認識でき、良好な撮影を行いやすくなる。
【００５６】
（５）
図２および図３に示すように、ズーム操作ユニット９０の伝達機構Ｔは、第１減速機構Ｔ１と、第２減速機構Ｔ２と、を有している。第１減速機構Ｔ１は、第１操作モードで作動する機構であり、ズームリング９１の操作量を第１減速比で光学系Ｏに伝達する。第２減速機構Ｔ２は、第２操作モードで作動する機構であり、ズームリング９１の操作量を第１減速比よりも大きい第２減速比で光学系Ｏに伝達する。
このように、異なる減速比をもつ２つの減速機構を設けることで、ズームリング９１のズーム操作トルクが異なる第１操作モードおよび第２操作モードを簡素な構成により実現できる。
さらに、減速機構を利用して第１操作モードおよび第２操作モードを実現しているため、ズームリング９１の操作量に対する回転枠７５の回転角度も２段階に切り替わる。具体的には、第１操作モードでの第１減速比に比べて第２操作モードでの第２減速比が大きいため、第２操作モードでは、ズームリング９１の操作量に対する回転枠７５の回転角度が第１操作モードに比べて小さくなる。このため、静止画撮影時には焦点距離の調整を素早く行え、かつ、動画撮影時には焦点距離の急激な変化を抑えることができる。これにより、静止画撮影時および動画撮影時にさらに良好な撮影を行うことができる。
【００５７】
（６）
図２および図３に示すように、第１減速機構Ｔ１が第１操作モードで作動するアイドルギヤ９７を有しており、第２減速機構Ｔ２が第２操作モードで作動する減速ギヤ９８を有している。第１減速機構Ｔ１および第２減速機構Ｔ２はクラッチ軸９４を共有している。クラッチ軸９４は、第１操作モードではズームリング９１とアイドルギヤ９７とを連結し、かつ、第２操作モードではズームリング９１と減速ギヤ９８とを連結するように設けられている。クラッチ軸９４は操作モード切換スイッチ９２と連動するように配置されている。
このような構成により、ズーム操作トルクが異なる第１操作モードおよび第２操作モードの切り換えを容易に行うことができる。
【００５８】
〔第２実施形態〕
前述の第１実施形態では、操作モード切換スイッチ９２を用いてユーザーがズーム操作ユニット９０の状態を第１操作モードおよび第２操作モードのうち一方に切り換えることができるが、クラッチ軸９４の駆動をアクチュエータにより行う実施形態も考えられる。
ここでは、モータを用いてクラッチ軸９４を駆動するデジタルカメラ１０１について説明する。
なお、前述の実施形態の構成と実質的に同じ機能を有する構成については、同じ符号を付し、その詳細な説明は省略する。
＜ズーム操作ユニット＞
図７および図８はズーム操作ユニットの断面図である。図７はズーム操作トルク（必要操作力）が通常レベルである第１操作モード（第１の状態の一例）を示しており、図８はズーム操作トルクが第１操作モードよりも小さい第２操作モード（第２の状態の一例）を示している。
【００５９】
図７および図８に示すように、ズーム操作ユニット１９０は、ズームリング９１（操作部材の一例）と、伝達機構Ｔと、駆動ユニット１１５（状態切換部の一例）と、検知センサ１１１（状態検知部の一例）と、を有している。
伝達機構Ｔはクラッチ軸１９４（切り換え部材の一例）を有している。クラッチ軸１９４は駆動ユニット１１５により軸方向（図７および図８の左右方向）に駆動される。クラッチ軸１９４は前述の溝９４ｂの代わりに移動規制部１９４ｃを有している。移動規制部１９４ｃには駆動部材１１３の端部１１３ａ（後述）が嵌め込まれている。
駆動ユニット１１５は、クラッチ軸１９４を軸方向に駆動可能に設けられており、操作モード切換モータ１１２と、駆動部材１１３と、スナップアクションバネ１１４と、を有している。
【００６０】
操作モード切換モータ１１２は、例えばステッピングモータであり、レンズコントローラ８０により制御される。操作モード切換モータ１１２は、モータ本体１１２ｂと、駆動ギヤ１１２ａと、２本のピン１１２ｃおよび１１２ｄと、を有している。
駆動ギヤ１１２ａは、駆動部材１１３のピニオンギヤ１１３ｂ（後述）と噛み合っており、モータ本体１１２ｂにより回転駆動される。ピン１１２ｃおよび１１２ｄは、モータ本体１１２ｂに固定されており、モータ本体１１２ｂに対して軸方向に移動可能に駆動部材１１３を支持している。ピン１１２ｃおよび１１２ｄは駆動部材１１３の長孔１１３ｃおよび１１３ｄ（後述）に挿入されている。
駆動部材１１３は、ケース７ａに対して軸方向に移動可能に設けられている。具体的には、駆動部材１１３は、端部１１３ａと、２つの長孔１１３ｃおよび１１３ｄと、ピニオンギヤ１１３ｂと、を有している。
【００６１】
端部１１３ａは、移動規制部１９４ｃ内に軸方向に移動可能に配置されており、軸方向の両側に移動規制部１９４ｃと当接可能に設けられている。移動規制部１９４ｃおよび端部１１３ａにより、クラッチ軸１９４に対する駆動部材１１３の軸方向の移動範囲が所定の範囲に制限されている。長孔１１３ｃにはピン１１２ｃが挿入されており、長孔１１３ｄにはピン１１２ｄが挿入されている。ピン１１２ｃおよび１１２ｄにより、駆動部材１１３はモータ本体１１２ｂに対して軸方向に移動可能に支持されている。
また、駆動部材１１３の端部１１３ａと反対側の端部は、検知センサ１１１のプレート１１１ａと接触可能に配置されている。図７に示すように、第１操作モードでは、駆動部材１１３は検知センサ１１１のプレート１１１ａをプレート１１１ｂ側に押しており、プレート１１１ａがプレート１１１ｂと接触している。図８に示すように、第２操作モードでは、駆動部材１１３はプレート１１１ａと接触しておらず、プレート１１１ａはプレート１１１ｂと接触していない。
【００６２】
スナップアクションバネ１１４は、駆動部材１１３を介してクラッチ軸１９４の軸方向の位置を安定させるための部材であり、第１端部１１４ａと、第２端部１１４ｂと、弾性部１１４ｃと、を有している。
第１端部１１４ａは、ケース７ａまたはケース７ａに固定された部材により支持されている。第２端部１１４ｂは駆動部材１１３に装着されている。弾性部１１４ｃは、弾性力を発生する部分であり、第１端部１１４ａと第２端部１１４ｂとを弾性的に連結している。
図７および図８に示す状態では、弾性部１１４ｃは、第１端部１１４ａと第２端部１１４ｂとが互いに離れるように第１端部１１４ａおよび第２端部１１４ｂに弾性力を付与している。
【００６３】
具体的には図７に示すように、第１操作モードでは、スナップアクションバネ１１４は駆動部材１１３に概ね右方向の力Ｆ１を付与している。この状態では、スナップアクションバネ１１４により駆動部材１１３を介してクラッチ軸１９４が右方向に引っ張られているため、クラッチ板９６がアイドルギヤ９７と噛み合った状態でクラッチ軸９４の位置が安定する。
また、図８に示すように、第２操作モードでは、スナップアクションバネ１１４は駆動部材１１３に概ね左方向の力Ｆ２を付与している。この状態では、スナップアクションバネ１１４により駆動部材１１３を介してクラッチ軸１９４が左側に押されているため、クラッチ板９６が減速ギヤ９８と噛み合った状態でクラッチ軸９４の位置が安定する。
さらに、図７および図８に示すように、スナップアクションバネ１１４は駆動部材１１３に対して常に下方向の力を付与しているため、スナップアクションバネ１１４により駆動部材１１３が駆動ギヤ１１２ａに押し付けられている。このため、操作モード切換モータ１１２に対する駆動部材１１３の姿勢が安定し、駆動ギヤ１１２ａから駆動部材１１３に駆動力が確実に伝達される。
【００６４】
＜ボディコントローラ＞
図９に示すように、ボディコントローラ１５０は、操作モード選択部１５０ｃ（状態切換部の一例）と、撮影モード検知部５０ｄと、連動検知部５０ｅと、判定部５０ｆと、報知指令部５０ｇ（報知部の一例）と、をさらに有している。本実施形態では、操作モード選択部１５０ｃ、撮影モード検知部５０ｄ、連動検知部５０ｅ、判定部５０ｆおよび報知指令部５０ｇは、プログラム等により実現されている機能ブロックである。
操作モード選択部１５０ｃは、連動ボタン４０ｅがＯＮの場合（連動ボタン４０ｅにより「連動」が選択されている場合）、撮影モード切換スイッチ４０ｄの検知結果に基づいて、ズーム操作ユニット１９０の状態を第１操作モードおよび第２操作モードのうち一方を選択し、選択した操作モードの情報をレンズコントローラ８０に送信する。具体的には、撮影モード切換スイッチ４０ｄにより静止画撮影モードが選択されている場合、操作モード選択部１５０ｃは、ズーム操作ユニット１９０の操作モードとして第１操作モードを選択し、レンズコントローラ８０へ第１操作モードへの切換信号を送信する。この結果、レンズコントローラ８０が操作モード切換モータ１１２へ駆動パルスを送信し、操作モード切換モータ１１２によりズーム操作ユニット１９０の状態が第１操作モードに切り換えられる。また、撮影モード切換スイッチ４０ｄにより動画撮影モードが選択されている場合、操作モード選択部１５０ｃは、ズーム操作ユニット１９０の操作モードとして第２操作モードを選択し、レンズコントローラ８０へ第２操作モードへの切換信号を送信する。この結果、レンズコントローラ８０が操作モード切換モータ１１２へ駆動パルスを送信し、操作モード切換モータ１１２によりズーム操作ユニット１９０の状態が第２操作モードに切り換えられる。
【００６５】
また、連動ボタン４０ｅがＯＦＦの場合（連動ボタン４０ｅにより「非連動」が選択されている場合）、操作モード選択部１５０ｃは予め設定された第１操作モードを操作モードとして選択し、操作モード切換モータ１１２によりズーム操作ユニット１９０の状態が第１操作モードに切り換えられる。
なお、予め設定された操作モードは第２操作モードであってもよい。
＜操作モード選択処理＞
このデジタルカメラ１０１は、撮影モード切換スイッチ４０ｄを用いた撮影モードの選択機能に加えて、選択された撮影モードに応じてズーム操作ユニット１９０の状態を自動的に切り換える機能を備えている。この自動切換機能を実現する操作モード選択処理について説明する。
【００６６】
図１０に示すように、デジタルカメラ１の電源がＯＮの状態で、連動ボタン４０ｅの状態が操作モード選択部１５０ｃにより判定される（Ｓ１０１）。具体的には、連動ボタン４０ｅの状態が連動検知部５０ｅにより検知され、連動検知部５０ｅの検知結果に基づいて、ズーム操作ユニット１９０の状態を撮影モードに合わせて切り換えるか否かが操作モード選択部１５０ｃにより決定される。
（１）連動時
例えば、連動ボタン４０ｅがＯＮの場合（つまり、「連動」が選択されている場合）、選択された撮影モードに応じてズーム操作ユニット１９０の状態が自動的に切り換えられる。具体的には、撮影モード切換スイッチ４０ｄにより選択されている撮影モードが撮影モード検知部５０ｄにより検知される（Ｓ１０２）。
【００６７】
撮影モード切換スイッチ４０ｄで動画撮影モードが選択されている場合、操作モード選択部１５０ｃにより動画撮影モードが撮影モードとして選択され、ズーム操作ユニット１９０の状態が動画撮影モードに適した第２操作モードであるか否かを確認するために、検知センサ１１１の接点がＯＮおよびＯＦＦのうちいずれであるかが操作モード選択部１５０ｃにより判定される（Ｓ１０３Ａ、Ｓ１０４Ａ）。
検知センサ１１１の接点がＯＮの場合、ズーム操作ユニット１９０は図７に示す第１操作モードであるため、動画撮影に適した第２操作モードにズーム操作ユニット１９０の状態を切り換えるのが好ましい。したがって、ズーム操作ユニット１９０の状態が第１操作モードから第２操作モードへ操作モード切換モータ１１２により切り換えられる（Ｓ１０５Ａ）。具体的には、操作モード選択部１５０ｃからレンズコントローラ８０に第２操作モードへの切り換えを行う旨の制御信号が送信され、レンズコントローラ８０により操作モード切換モータ１１２を駆動するための駆動パルスが生成される。この駆動パルスはレンズコントローラ８０から操作モード切換モータ１１２へ送信される。この結果、駆動パルスに応じた駆動量だけ操作モード切換モータ１１２により駆動部材１１３が左側に駆動され、駆動部材１１３を介してクラッチ軸１９４が左側に駆動される。
【００６８】
図７および図８に示すように、駆動部材１１３が左側に移動すると、スナップアクションバネ１１４の弾性力が駆動部材１１３に対して作用する方向が右側から左側に徐々に変化する。具体的には、図７に示す状態では、駆動部材１１３はスナップアクションバネ１１４により右側へ押されているが、クラッチ軸１９４の左側への駆動に伴い、図８に示すように、駆動部材１１３を介してスナップアクションバネ１１４によりクラッチ軸１９４は左側に押される状態となる。この状態では、クラッチ板９６がアイドルギヤ９７ではなく減速ギヤ９８に噛み合っており、スナップアクションバネ１１４の弾性力によりクラッチ軸１９４の位置は図８に示す第２位置Ｐ２で安定する。こうして、第１操作モードから第２操作モードへの切り換えが完了する。
一方、検知センサ１１１の接点がＯＦＦの場合、ズーム操作ユニット９０は図８に示す第２操作モードであるため、ズーム操作ユニット１９０の状態が動画撮影モードに適していると言える。このため、ズーム操作ユニット１９０の状態の切り換えは行われない（Ｓ１０４Ａ）。
【００６９】
ステップＳ１０２において撮影モード切換スイッチ４０ｄで静止画撮影モードが選択されている場合、操作モード選択部１５０ｃにより静止画撮影モードが撮影モードとして選択され、ズーム操作ユニット１９０の状態が静止画撮影モードに適した第１操作モードであるか否かを確認するために、検知センサ１１１の接点がＯＮおよびＯＦＦのうちいずれであるかが操作モード選択部１５０ｃにより判定される（Ｓ１０３Ｂ、Ｓ１０４Ｂ）。
検知センサ１１１の接点がＯＦＦの場合、ズーム操作ユニット１９０は図８に示す第２操作モードであるため、静止画撮影に適した第１操作モードにズーム操作ユニット１９０の状態を切り換えるのが好ましい。したがって、ズーム操作ユニット１９０の状態が第２操作モードから第１操作モードへ操作モード切換モータ１１２により切り換えられる（Ｓ１０５Ｂ）。具体的には、操作モード選択部１５０ｃからレンズコントローラ８０に第１操作モードへの切り換えを行う旨の制御信号が送信され、レンズコントローラ８０により操作モード切換モータ１１２を駆動するための駆動パルスが生成される。この駆動パルスはレンズコントローラ８０から操作モード切換モータ１１２へ送信される。この結果、駆動パルスに応じた駆動量だけ操作モード切換モータ１１２により駆動部材１１３が右側（伝達機構Ｔと反対側）に駆動され、駆動部材１１３を介してクラッチ軸１９４が左側に駆動される。
【００７０】
図７および図８に示すように、駆動部材１１３が右側に移動すると、スナップアクションバネ１１４の弾性力が駆動部材１１３に対して作用する方向が左側から右側に徐々に変化する。具体的には、スナップアクションバネ１１４により左側へ押されていた駆動部材１１３は、右側に駆動されることで、スナップアクションバネ１１４により右側に押されるようになる。この結果、図８に示すように、駆動部材１１３を介してスナップアクションバネ１１４によりクラッチ軸１９４は右側に押される状態となる。この状態では、クラッチ板９６が減速ギヤ９８ではなくアイドルギヤ９７に噛み合っており、スナップアクションバネ１１４の弾性力によりクラッチ軸１９４の位置は図７に示す第１位置Ｐ１で安定する。こうして、第２操作モードから第１操作モードへの切り換えが完了する。
一方、検知センサ１１１の接点がＯＮの場合、ズーム操作ユニット９０は図７に示す第１操作モードであるため、ズーム操作ユニット１９０の状態が静止画撮影モードに適していると言える。このため、ズーム操作ユニット１９０の状態の切り換えは行われない（Ｓ１０４Ｂ）。
【００７１】
操作モードの切り換え後、レリーズボタン４０ｂの状態がボディコントローラ５０により監視される（Ｓ１０６Ａ、Ｓ１０６Ｂ）。例えば、ステップＳ１０３Ａにおいて動画撮影モードが選択された場合、レリーズボタン４０ｂが全押しされなければ、処理はステップＳ１０１に移行するが、レリーズボタン４０ｂが全押しされると、動画撮影が開始される（Ｓ１０６Ａ、Ｓ１０７Ａ）。動画撮影はレリーズボタン４０ｂが再び全押しされた時点で終了する（Ｓ１０８Ａ、Ｓ１０９Ａ）。
動画撮影中、必要に応じてユーザーはズームリング９１を操作し焦点距離を調整する。このとき、前述のようにズーム操作ユニット９０が第２操作モードに切り換えられているため、ズームリング９１のズーム操作トルクが比較的小さくなっており、小さな力でズームリング９１を望遠側および広角側に回転させることができる。これにより、動画撮影中にズームリング９１の操作により生じるデジタルカメラ１の振れを抑制することができ、良好な動画撮影を行うことができる。動画撮影が終了すると処理はステップＳ１０１に移行する。
【００７２】
一方、ステップＳ１０３Ｂにおいて静止画撮影モードが選択された場合、レリーズボタン４０ｂが半押しされると、静止画撮影が行われる。具体的には、レリーズボタン４０ｂが半押しされなければ、処理はステップＳ１０１に移行し、レリーズボタン４０ｂが半押しされると、絞り調整およびオートフォーカス等の準備動作が開始される（Ｓ１０６Ｂ、Ｓ１０７Ｂ）。レリーズボタン４０ｂが全押しされると、生成された画像信号が画像処理部５０ｈから画像再生記録部５３に送信され、画像再生記録部５３に送信された画像信号が静止画データとして記録媒体に記録される（Ｓ１０８Ｂ、Ｓ１０９Ｂ）。
静止画撮影時には、必要に応じてユーザーはズームリング９１を操作し焦点距離を調整する。このとき、前述のようにズーム操作ユニット９０が第１操作モードに切り換えられているため、ズームリング９１の必要操作力が通常レベルとなっており、ズームリング９１を望遠側および広角側に回転させる際に比較的大きな力が必要となる。このため、静止画撮影時にズームリング９１の適度な操作感を得ることができ、良好な静止画撮影を行うことができる。静止画撮影が終了すると処理はステップＳ１０１に移行する。
【００７３】
（２）非連動時
次に、ステップＳ１０１において連動ボタン４０ｅがＯＦＦの場合について説明する。図１０および図１１に示すように、ステップＳ１０１において連動ボタン４０ｅがＯＦＦの場合（つまり、連動ボタン４０ｅにより「非連動」が選択されている場合）、ズーム操作ユニット１９０の状態の自動切換が行われず、撮影モード切換スイッチ４０ｄでいずれの撮影モードが選択されているかが操作モード選択部１５０ｃにより判定される（Ｓ１１０）。具体的には、撮影モード切換スイッチ４０ｄにより選択されている撮影モードが撮影モード検知部５０ｄにより検知され、撮影モード検知部５０ｄの検知結果に基づいて、操作モード選択部１５０ｃが静止画撮影モードおよび動画撮影モードのうち一方を撮影モードとして選択する（Ｓ１１１Ａ、Ｓ１１１Ｂ）。
【００７４】
撮影モード切換スイッチ４０ｄにより動画撮影モードが選択されている場合、操作モード選択部１５０ｃにより動画撮影モードが撮影モードとして選択される（Ｓ１１０、Ｓ１１１Ａ）。一方、撮影モード切換スイッチ４０ｄにより静止画撮影モードが選択されている場合（つまり、撮影モード切換スイッチ４０ｄにより動画撮影モードが選択されていない場合）、操作モード選択部１５０ｃにより静止画撮影モードが撮影モードとして選択される（Ｓ１１０、Ｓ１１１Ｂ）。
さらに、ステップＳ１１１ＡおよびＳ１１１Ｂでの撮影モードの選択後、操作モード（伝達機構Ｔの状態）と選択された撮影モードとの組み合わせが所定の条件を満たしているか否かが判定部５０ｆにより判定される（Ｓ１１２Ａ、Ｓ１１２Ｂ）。
例えば、ステップＳ１１１Ａにおいて動画撮影モードが選択された場合、検知センサ１１１の接点がＯＦＦであれば、ズーム操作ユニット９０の状態が動画撮影に適した第２操作モードであるため、操作モードと撮影モードとの組み合わせが所定の条件を満たしていると判定部５０ｆにより判定される（Ｓ１１２Ａ）。この場合、ズーム操作ユニット９０の状態が動画撮影モードと整合しているため、警告表示は行われず、処理はステップＳ１０６Ａに移行する。
【００７５】
一方、検知センサ１１１の接点がＯＮであれば、ズーム操作ユニット９０の状態が動画撮影モードに適していない第１操作モードであるため、操作モードと撮影モードとの組み合わせが所定の条件を満たしていないと判定部５０ｆにより判定される（Ｓ１１２Ａ）。この場合、ズーム操作ユニット９０の状態が動画撮影モードと整合していないため、ズーム操作ユニット９０の状態が動画撮影モードと整合していないことを示す信号が判定部５０ｆにより生成され、この信号が判定部５０ｆから報知指令部５０ｇへ送られる。この信号に基づいて報知指令部５０ｇにより警告表示を行う旨の制御信号が生成され、この警告表示信号は報知指令部５０ｇから画像再生記録部５３を介して画像表示制御部５５へ警告表示指令が送信される。画像表示制御部５５へ警告表示指令が送信されると、警告表示指令に基づいて、ズーム操作ユニット９０の状態が選択されている撮影モードと整合していない旨が画像表示部４４（あるいはＥＶＦ４６）に表示される（Ｓ１１３Ａ）。警告表示後、処理はステップＳ１０６Ａに移行し、状況に応じて動画撮影が行われる。
【００７６】
ステップＳ１１１Ｂにおいて静止画撮影モードが選択された場合、検知センサ１１１の接点がＯＮであれば、ズーム操作ユニット９０の状態が静止画撮影に適した第１操作モードであるため、操作モードと撮影モードとの組み合わせが所定の条件を満たしていると判定部５０ｆにより判定される（Ｓ１１２Ｂ）。この場合、ズーム操作ユニット９０の状態が静止画撮影モードと整合しているため、警告表示は行われず、処理はステップＳ１０６Ｂに移行する。
一方、検知センサ１１１の接点がＯＦＦであれば、ズーム操作ユニット９０の状態が静止画撮影モードに適していない第２操作モードであるため、操作モードと撮影モードとの組み合わせが所定の条件を満たしていないと判定部５０ｆにより判定される（Ｓ１１２Ｂ）。この場合、ズーム操作ユニット９０の状態が静止画撮影モードと整合していないため、ズーム操作ユニット１９０の状態が静止画撮影モードと整合していないことを示す信号が判定部５０ｆにより生成され、この信号が判定部５０ｆから報知指令部５０ｇへ送られる。この信号に基づいて報知指令部５０ｇにより警告表示を行う制御信号が生成され、報知指令部５０ｇから画像再生記録部５３を介して画像表示制御部５５へ警告表示指令が送信される。画像表示制御部５５に警告表示指令が送信されると、警告表示指令に基づいて、ズーム操作ユニット１９０の状態が選択されている撮影モードと整合していない旨が画像表示部４４（あるいはＥＶＦ４６）に表示される（Ｓ１１３Ｂ）。警告表示後、処理はステップＳ１０６Ｂに移行し、状況に応じて静止画撮影が行われる。
【００７７】
＜特徴＞
（１）
以上に説明したように、このデジタルカメラ１０１では、撮影モードとして静止画撮影モードが選択されている場合は、操作モード選択部１５０ｃによりズーム操作ユニット１９０の状態が第１操作モードに切り換えられ、撮影モードとして動画撮影モードが選択されている場合は、操作モード選択部１５０ｃによりズーム操作ユニット１９０の状態が第２操作モードに切り換えられる。このように、操作モード選択部１５０ｃにより撮影モード検知部５０ｄの検知結果に基づいてズーム操作ユニット１９０の状態が第１操作モードおよび第２操作モードのうち一方に切り換えられるため、動画撮影時には比較的小さい操作力で光学系の焦点距離を調整することができるため、動画撮影時にズームリング９１の操作により生じる撮像装置の動きを抑えることができる。これにより、静止画撮影時および動画撮影時に良好な撮影を行うことができる。
【００７８】
（２）
図１０に示すように、連動ボタン４０ｅがＯＮの場合（連動ボタン４０ｅで「連動」が選択されている場合）、撮影モード検知部５０ｄの検知結果に基づいて操作モード選択部１５０ｃにより伝達機構Ｔの状態が切り換えられる。一方、連動ボタン４０ｅがＯＦＦの場合（連動ボタン４０ｅで「非連動」が選択されている場合）、操作モード選択部１５０ｃによる伝達機構Ｔの状態の切り換えは行われない。このため、撮影モードに合わせてズーム操作ユニット１９０の操作モードが自動選択される機能を実現しつつ、操作モード切換モータ１１２での消費電力を低減できる。
（３）
図１１に示すように、検知センサ１１１の検知結果と撮影モード検知部５０ｄの検知結果との組み合わせが所定の条件を満たしているか否かが判定部５０ｆにより判定される（図１１のステップＳ１１０、Ｓ１１２ＡおよびＳ１１２Ｂ）。さらに、操作モード（伝達機構Ｔの状態）と撮影モードとの組み合わせが所定の条件を満たしていない場合は、報知指令部５０ｇから画像表示制御部５５へ警告表示指令が送信され、操作モードと撮影モードとが整合していない旨の警告が画像表示部４４に表示される（図１１のステップＳ１１３ＡおよびＳ１１３Ｂ）。これにより、撮影モード検知部５０ｄの検知結果に基づいて自動的に操作モードの切り換えが行われない場合であっても、操作モードと撮影モードとの関係をユーザーが容易に認識でき、良好な撮影を行いやすくなる。
【００７９】
〔他の実施形態〕
本発明は、前述の実施形態に限定されるものではなく、本発明の範囲を逸脱することなく種々の変形および修正が可能である。
（Ａ）
前述の実施形態では、交換レンズ式のデジタルカメラを例に撮像装置について説明しているが、撮像装置は静止画および動画の撮影が可能な装置であればよい。例えば、撮像装置としては、一体型のデジタルスチルカメラおよびデジタルビデオカメラが考えられる。
（Ｂ）
前述の実施形態では、減速機構を用いて必要操作力の異なる２つの操作モードを実現しているが、ズーム操作ユニットの構成は前述の構成に限定されない。例えば、摩擦機構などの他の機構を用いて必要操作力の異なる２つの操作モードを実現してもよい。また、操作モードの種類は２種類以上であってもよく、それらの操作モードに必要操作力の異なる２つの操作モードが含まれていればよい。
【００８０】
（Ｃ）
前述の実施形態では、検知センサ１１１を例に状態検知部について説明しているが、状態検知部は検知センサ１１１に限定されない。例えば、状態検知部は、フォトセンサなどの非接触式のセンサであってもよい。
（Ｄ）
前述の実施形態では、ＣＣＤイメージセンサおよびＣＭＯＳイメージセンサを例に撮像素子について説明しているが、光電変換できる素子であれば他の素子であってもよい。
また、撮像ユニット５を例に画像データ生成部について説明しているが、静止画および動画の撮影が可能であれば画像データ生成部は他の構成であってもよい。
（Ｅ）
前述の実施形態では、モード検知部、優先検知部、撮影モード選択部、判定部および報知指令部がボディコントローラ５０により実現されているが、他の構成により実現されていてもよい。
【００８１】
（Ｆ）
前述の第１実施形態では、操作モード切換スイッチ９２を例に状態操作部について説明しているが、ズーム操作ユニットの状態を切り換えられる構成であれば他の構成であってもよい。例えば、操作モード切換スイッチ９２がクラッチ軸９４と連結されておらず、操作モード切換スイッチ９２の状態を検知するセンサと、そのセンサの検知結果に基づいてクラッチ軸９４を駆動するアクチュエータと、がズーム操作ユニットに搭載されていてもよい。
（Ｇ）
前述の実施形態では、撮影モード切換スイッチ４０ｄを例に撮影モード操作部について説明しているが、撮影モードを選択するために操作可能であれば撮影モード操作部が他の構成を有していてもよい。また、前述の実施形態では、連動ボタン４０ｅを例に連動操作部について説明しているが、連動操作部が他の構成を有していてもよい。
【００８２】
例えば第１実施形態の場合、撮影モード操作部および連動操作部が１つの部材であってもよい。この場合、「静止画撮影モード」、「動画撮影モード」および「連動モード」の３つのポジションを有するスライド式またはダイヤル式のスイッチが考えられる。
（Ｈ）
前述の実施形態では、報知指令部５０ｇおよび画像表示部４４（あるいは報知指令部５０ｇおよびＥＶＦ４６）により報知部が構成されているが、報知部は、視覚的または聴覚的にユーザーが認識し得るように情報を出力できればよい。例えば、操作モードと撮影モードとの組み合わせが所定の条件を満たしていないことをユーザーが認識できる構成であれば、報知部が他の構成を有していてもよい。例えば、ユーザーに知らせる方法としては、警告音またはランプ点灯なども考えられる。
【００８３】
（Ｉ）
前述の第２実施形態では、動画撮影が開始される前に操作モードの切り換えが行われるが、操作モードを切り換えるタイミングが前述の実施形態に限定されない。例えば、レリーズボタン４０ｂが全押しされるのを待って第２操作モードへの切り換えが行われてもよい。具体的には図１０において、ステップＳ１０６Ａでレリーズボタン４０ｂの全押しが確認された後に、ステップＳ１０４ＡおよびＳ１０５Ａの処理が実行されてもよい。この場合、操作モードを切り換える頻度が少なくなり、消費電力の低減が効果として期待できる。
（Ｊ）
前述の撮像装置は撮影モードまたは操作モードの自動選択機能を備えているが、判定機能および警告機能を備えていれば、自動選択機能を備えていなくても良好な撮影を行いやすくなる。
【００８４】
例えば、第２実施形態の場合、図１０に示すステップＳ１０１〜Ｓ１０５ＡおよびＳ１０１〜Ｓ１０５Ｂに関連する機能を撮像装置が有していなくてもよい。この場合、処理フローは図１２に示すフローチャートのようになる。図１２では、前述のステップと同じ番号を付したステップはそのステップと処理内容が同じであるため、ここでは各ステップの詳細な説明は省略する。
図１２に示すフローであれば、選択されている撮影モード、または、操作モードと撮影モードとの関係をユーザーが容易に認識し得るため、静止画撮影時および動画撮影時に良好な撮影を行うことができる。
【産業上の利用可能性】
【００８５】
本発明に係る撮像装置であれば、静止画撮影時および動画撮影時に良好な撮影が可能となるため、本発明は静止画および動画撮影が可能な装置の分野で有用である。
【符号の説明】
【００８６】
１  デジタルカメラ（撮像装置の一例）
４  カメラ本体
５  撮像ユニット（画像データ生成部の一例）
７  交換レンズユニット（レンズ鏡筒の一例）
１０  撮像センサ（撮像素子の一例）
４０  操作ユニット
４０ｂ  レリーズボタン（撮影開始操作部の一例）
４０ｄ  撮影モード切換スイッチ（撮影モード操作部の一例）
４０ｅ  連動ボタン（連動操作部の一例）
４４  画像表示部（報知部の一例）
４６  ＥＶＦ（報知部の一例）
５０  ボディコントローラ
５０ｃ  撮影モード選択部
５０ｄ  撮影モード検知部
５０ｅ  連動検知部
５０ｆ  判定部
５０ｇ  報知指令部（報知部の一例）
９０  ズーム操作ユニット
９１  ズームリング（操作部材の一例）
９２  操作モード切換スイッチ（状態操作部の一例）
９４、１９４  クラッチ軸（切り換え部材の一例）
９７  アイドルギヤ（第１ギヤの一例）
９８  減速ギヤ（第２ギヤの一例）
１１１  検知センサ（状態検知部の一例）
１１５  駆動ユニット（状態切換部の一例）
１５０ｃ  操作モード選択部（状態切換部の一例）
Ｔ  伝達機構
Ｔ１  第１減速機構
Ｔ２  第２減速機構
Ｏ  光学系
【図１】
2011004209.tif 000003
【図２】
2011004209.tif 000004
【図３】
2011004209.tif 000005
【図４】
2011004209.tif 000006
【図５】
2011004209.tif 000007
【図６】
2011004209.tif 000008
【図７】
2011004209.tif 000009
【図８】
2011004209.tif 000010
【図９】
2011004209.tif 000011
【図１０】
2011004209.tif 000012
【図１１】
2011004209.tif 000013
【図１２】
2011004209.tif 000014